(57)【要約】３Ｇ１Ｘネットワークと無線パケット・データ・ネットワークとの間の相互運用に対する必要性に対処するために、新しいインターフェースＡｙ、Ａｚ、およびＡｐを実現するアーキテクチャの実施形態およびメッセージングの実施形態について説明する。Ａｙインターフェースは、３Ｇ１ｘ基地局（ＢＳ）（１０３）とパケット・データ・ネットワーク・アクセス・ネットワーク（ＡＮ）、たとえばＨＲＰＤ−ＡＮ（１２３）、との間のメッセージングをサポートする。Ａｚインターフェースは、３Ｇ１ｘ基地局（ＢＳ）とパケット・データ・ネットワーク・パケット制御機能（ＰＣＦ）、たとえばＨＲＰＤ−ＰＣＦ（１２５）との間のメッセージングをサポートする。Ａｐインターフェースは、３Ｇ１ｘＰＣＦ（１０５）とパケット・データ・ネットワークＰＣＦ、たとえばＨＲＰＤ−ＰＣＦとの間のメッセージングをサポートする。Ａ８／Ａ９およびＡｐインターフェースを用いて、３Ｇ１ｘＢＳとパケット・データ・ネットワークＰＣＦとの間のメッセージングが可能になる。
2008503189.tif 000002
【特許請求の範囲】
【請求項１】
３Ｇ１ｘネットワークと無線パケット・データ・ネットワークとの間の相互運用を促進するための方法であって、
３Ｇ１ｘラジオ・アクセス・ネットワーク（ＲＡＮ）を介して、遠隔ユニットに対する登録更新メッセージングを、パケット・データ・ネットワークＲＡＮから受信すること、
登録更新メッセージングの受信に応答して、
３Ｇ１ｘＲＡＮを介して、遠隔ユニットに対する３Ｇ１ｘ登録更新メッセージングを、移動通信交換局（ＭＳＣ）に送ること、
３Ｇ１ｘＲＡＮを介して、遠隔ユニットに対する登録応答メッセージングを、パケット・データ・ネットワークＲＡＮに送ること、
を備える方法。
【請求項２】
請求項１に記載の方法であって、３Ｇ１ｘＲＡＮを介して、遠隔ユニットに対する登録応答メッセージングをＭＳＣから、登録応答メッセージングを送る前に受信することをさらに備える方法。
【請求項３】
請求項１に記載の方法において、３Ｇ１ｘＲＡＮは基地局およびＰＣＦを含む、方法。
【請求項４】
請求項３に記載の方法において、３Ｇ１ｘＲＡＮを介して、遠隔ユニットに対する登録更新メッセージングを、パケット・データ・ネットワークＲＡＮから受信することは、基地局によって登録更新メッセージングを受信することを含む、方法。
【請求項５】
請求項４に記載の方法において、基地局によって登録更新メッセージングを受信することは、パケット制御機能（ＰＣＦ）を介して登録メッセージングを受信することを含む、方法。
【請求項６】
３Ｇ１ｘネットワークと無線パケット・データ・ネットワークとの間の相互運用を促進するための方法であって、
パケット・データ・ネットワーク・ラジオ・アクセス・ネットワーク（ＲＡＮ）を介して、登録シグナリングを遠隔ユニットから受信すること、
登録シグナリングの受信に応答して、
パケット・データ・ネットワークＲＡＮを介して、遠隔ユニットに対する登録メッセージングを３Ｇ１ｘＲＡＮに送ること、
パケット・データ・ネットワークＲＡＮを介して、登録応答シグナリングを遠隔ユニットに送ること、
を備える方法。
【請求項７】
請求項６に記載の方法であって、パケット・データ・ネットワークＲＡＮを介して、遠隔ユニットに対する登録応答メッセージングを３Ｇ１ｘＲＡＮから、登録応答シグナリングを送る前に受信することをさらに備える方法。
【請求項８】
請求項６に記載の方法において、パケット・データ・ネットワークＲＡＮは、パケット・データ・ネットワーク・アクセス・ネットワーク（ＡＮ）およびパケット・データ・ネットワーク・パケット制御機能（ＰＣＦ）を含む、方法。
【請求項９】
請求項８に記載の方法において、パケット・データ・ネットワークＲＡＮを介して、遠隔ユニットに対する登録メッセージングを３Ｇ１ｘＲＡＮに送ることは、パケット・データ・ネットワークＡＮを介して登録メッセージングを送ることを含む、方法。
【請求項１０】
請求項８に記載の方法において、パケット・データ・ネットワークＲＡＮを介して、遠隔ユニットに対する登録メッセージングを３Ｇ１ｘＲＡＮに送ることは、パケット・データ・ネットワークＰＣＦを介して登録メッセージングを送ることを含む、方法。
【請求項１１】
請求項６に記載の方法において、パケット・データ・ネットワークＲＡＮを介して、遠隔ユニットに対する登録メッセージングを３Ｇ１ｘＲＡＮに送ることは、遠隔ユニットに対する登録メッセージングを複数の３Ｇ１ｘ基地局に送ることを含む、方法。
【請求項１２】
３Ｇ１ｘネットワークと無線パケット・データ・ネットワークとの間の相互運用を促進するための方法であって、
３Ｇ１ｘラジオ・アクセス・ネットワーク（ＲＡＮ）を介して、遠隔ユニットに対する回線ネットワーク発信ページング要求メッセージングを移動通信交換局（ＭＳＣ）から受信すること、
回線ネットワーク発信ページング要求メッセージングの受信に応答して、３Ｇ１ｘＲＡＮを介して、遠隔ユニットに対するＲＡＮ発信ページング要求メッセージングをパケット・データ・ネットワークＲＡＮに送ること、
ＲＡＮ発信ページング要求メッセージングの送信に応答して、３Ｇ１ｘＲＡＮを介して、遠隔ユニットに対するページ応答メッセージングを受信すること、
を備える方法。
【請求項１３】
請求項１２に記載の方法において、３Ｇ１ｘＲＡＮを介してページ応答メッセージングを受信することは、ページ応答メッセージングをパケット・データ・ネットワークＲＡＮから受信することを含む、方法。
【請求項１４】
請求項１２に記載の方法において、３Ｇ１ｘＲＡＮを介してページ応答メッセージングを受信することは、ページ応答メッセージングを遠隔ユニットから受信することを含む、方法。
【請求項１５】
請求項１４に記載の方法であって、ページ応答メッセージングを遠隔ユニットから受信することに応答して、３Ｇ１ｘＲＡＮを介して、遠隔ユニットに対してＲＡＮ発信ページ応答メッセージングをＭＳＣに送ることをさらに備える方法。
【請求項１６】
請求項１２に記載の方法において、３Ｇ１ｘＲＡＮを介して、遠隔ユニットに対するＲＡＮ発信ページング要求メッセージングを、パケット・データ・ネットワークＲＡＮに送ることは、遠隔ユニットに対するＲＡＮ発信ページング要求メッセージングを、複数のパケット・データ・ネットワークＲＡＮに送ることを含む、方法。
【請求項１７】
請求項１２に記載の方法であって、遠隔ユニットを、３Ｇ１ｘＲＡＮを介して、回線ネットワーク発信ページング要求メッセージングを受信することに応答してページングすることをさらに備える方法。
【請求項１８】
３Ｇ１ｘネットワークと無線パケット・データ・ネットワークとの間の相互運用を促進するための方法であって、
パケット・データ・ネットワーク・ラジオ・アクセス・ネットワーク（ＲＡＮ）を介して、遠隔ユニットに対するＲＡＮ発信ページング要求メッセージングを３Ｇ１ｘＲＡＮから受信すること、
ＲＡＮ発信ページング要求メッセージングを受信することに応答して、遠隔ユニットを、パケット・データ・ネットワークＲＡＮを介してページングすること、
ＲＡＮ発信ページング要求メッセージングを受信することに応答して、パケット・データ・ネットワークＲＡＮを介して、ＲＡＮ発信ページ応答メッセージングを３Ｇ１ｘＲＡＮに送ること、
を備える方法。
【請求項１９】
請求項１８に記載の方法であって、
パケット・データ・ネットワークＲＡＮを介して、遠隔ユニットのページングの後に遠隔ユニットからのデータ送信が停止したことを検出すること、
検出に応答して、パケット・データ・ネットワークＲＡＮを介して、パケット・データ・ネットワーク休止状態パケット・データ・セッションへの遠隔ユニットの移行をトリガすること、
をさらに備える方法。
【請求項２０】
請求項１８に記載の方法であって、パケット・データ・ネットワークＲＡＮを介して、ＰＤＳＮに、遠隔ユニットに対するパケット・データの送信を停止する要求を送ることをさらに備える方法。
【発明の詳細な説明】
【技術分野】
【０００１】
本発明は一般には、無線通信システムに関係し、詳細には、３Ｇ１Ｘネットワークと無線パケット・データ・ネットワークとの間の相互運用の促進に関する。
【背景技術】
【０００２】
本出願は、仮出願第６０／５７８，６７５号明細書、発明の名称「３Ｇ１Ｘネットワークと無線パケット・データ・ネットワークとの間の相互運用を促進するための方法および装置」（２００４年６月１０日出願）からの優先権を主張する。なおこの文献は、共通所有であるとともに、本明細書において参照によりその全体として取り入れられている。
【０００３】
現在、デュアル・モード（またはハイブリッド）アクセス端末（ＡＴ）／移動局（ＭＳ）は、３Ｇ１Ｘネットワークと無線パケット・データ・ネットワークとの両方からサービスを得ることができる。たとえば、このようなデュアル・モード・モバイルは、その回線交換サービスを３Ｇ１Ｘ／１ＸＥＶ−ＤＶ（ＤＶ）ネットワークから得ることができ、またそのパケット・データ・サービスを、ＴＩＡ−８５６エア・インターフェースをサポートする高レート・パケット・データ（ＨＲＰＤ）／１ＸＥＶ−ＤＯ（ＤＯ）ネットワークから得ることができる。しかし、両方のネットワークからサービスを得るためには、現在のデュアル・モード・モバイルでは、どちらのネットワークであっても、現時点で受信もモニタもしていない周波数を周期的にモニタしなければならない。
【０００４】
この動作は、一方のネットワークから現在受けているサービスに対する割り込みになる可能性があるという点で、非効率的である。また、余分にモニタする必要があることによってバッテリ寿命が短くなる可能性があり、さらに両方のネットワークをモニタするのに十分な時間をモバイルに許すために、長いページング周期を必要とする場合がある。したがって、モバイルのモニタリング負担を減らすために、ネットワーク間の相互運用が必要である。
【０００５】
ＴＩＡ−８５６−Ａには、３Ｇ１Ｘ回線サービス通知アプリケーションが含まれている。このアプリケーションは、３Ｇ１Ｘ回線交換サービスに対する通知を、ハイブリッドＡＴに、ＣＤＭＡ２０００ＨＲＰＤエア・インターフェースを介して送るためのプロトコルをサポートするものである。この場合、ＡＴは、ＣＤＭＡ２０００高レート・パケット・データ・チャネルにチューニングされている。これらの通知には、順方向の１ｘ命令（、状態要求、データ・バースト、一般ページ、および特徴通知メッセージが含まれている。逆リンク上でサポートされる１ｘメッセージには、登録、拡張状態応答、データ・バースト、および命令メッセージが含まれている。ＴＩＡ−２０００−Ｄでは、エア・インターフェース上で順および逆リンク方向でサポートされるすべての命令タイプおよびデータ・バースト・タイプのリスティングが与えられている。このように、エア・インターフェース標準では相互動作がある程度まで規定されてはいるが、ネットワーク相互運用に対してはソリューションは規定されてはいない。
【０００６】
既存の提案として、ＴＩＡ−８５６−Ａに導入される新しいｃｄｍａ２０００回線サービス通知プロトコル（ＣＳＮＰ）をサポートするために、高レベルのデザインおよびＩＯＳコール・フローを提示するものがある。これは、現在のＡ１インターフェースを移動通信交換局（ＭＳＣ）からＨＲＰＤ−ＡＮまで延ばすことを提案するものである。ＭＳＣでは、既存のＡ１インターフェース・メッセージングを用いて、回線サービス通知をＨＲＰＤネットワークに知らせている。
【発明の開示】
【発明が解決しようとする課題】
【０００７】
ハイブリッド・モバイルが２つのネットワークをモニタするという現在の非効率さを考慮すると、３Ｇ１Ｘネットワークと無線パケット・データ・ネットワークとの間の相互運用を促進するさらなる解決方法があることが望ましい。
【課題を解決するための手段】
【０００８】
３Ｇ１Ｘネットワークと無線パケット・データ・ネットワークとの間の相互運用に対する必要性に対処するために、新しいインターフェースＡｙ、Ａｚ、およびＡｐを実現するアーキテクチャの実施形態およびメッセージングの実施形態について説明する。Ａｙインターフェースは、３Ｇ１ｘ基地局（ＢＳ）とパケット・データ・ネットワーク・アクセス・ネットワーク（ＡＮ）、たとえばＨＲＰＤ−ＡＮ、との間のメッセージングをサポートする。Ａｚインターフェースは、３Ｇ１Ｘ基地局（ＢＳ）とパケット・データ・ネットワーク・パケット制御機能（ＰＣＦ）、たとえばＨＲＰＤ−ＰＣＦ、との間のメッセージングをサポートする。Ａｐインターフェースは、３Ｇ１ＸＰＣＦとパケット・データ・ネットワークＰＣＦとの間のメッセージングをサポートする。Ａ８／Ａ９およびＡｐインターフェースを用いて、３Ｇ１ＸＢＳとパケット・データ・ネットワークＰＣＦとの間のメッセージングが可能になる。
【０００９】
本発明の実施形態には、３Ｇ１Ｘネットワークと無線パケット・データ・ネットワークとの間の相互運用を促進するための方法が含まれる。本方法には、３Ｇ１Ｘラジオ・アクセス・ネットワーク（ＲＡＮ）を介して、遠隔ユニットに対する登録更新メッセージングをパケット・データ・ネットワークＲＡＮから受信することが含まれる。本方法にはさらに、登録更新メッセージングの受信に応答して、３Ｇ１ＸＲＡＮを介して、遠隔ユニットに対する３Ｇ１Ｘ登録更新メッセージングを移動通信交換局（ＭＳＣ）へ送ること、および３Ｇ１ＸＲＡＮを介して、遠隔ユニットに対する登録応答メッセージングをパケット・データ・ネットワークＲＡＮへ送ることが、含まれる。
【００１０】
本発明の実施形態には、３Ｇ１Ｘネットワークと無線パケット・データ・ネットワークとの間の相互運用を促進するための他の方法が含まれる。本方法には、パケット・データ・ネットワーク・ラジオ・アクセス・ネットワーク（ＲＡＮ）を介して、登録シグナリングを遠隔ユニットから受信することが含まれる。本方法にはさらに、登録シグナリングの受信に応答して、パケット・データ・ネットワークＲＡＮを介して、遠隔ユニットに対する登録メッセージングを３Ｇ１ＸＲＡＮへ送ること、およびパケット・データ・ネットワークＲＡＮを介して、登録応答シグナリングを遠隔ユニットへ送ることが含まれる。
【００１１】
本発明の実施形態には、３Ｇ１Ｘネットワークと無線パケット・データ・ネットワークとの間の相互運用を促進するためのさらに他の方法が含まれる。本方法には、３Ｇ１Ｘラジオ・アクセス・ネットワーク（ＲＡＮ）を介して、遠隔ユニットに対する回線ネットワーク発信ページング要求メッセージングを移動通信交換局（ＭＳＣ）から受信すること、回線ネットワーク発信ページング要求メッセージングの受信に応答して、３Ｇ１ＸＲＡＮを介して、遠隔ユニットに対するＲＡＮ発信ページング要求メッセージングをパケット・データ・ネットワークＲＡＮに送ることと、ＲＡＮ発信ページング要求メッセージングの送信に応答して、３Ｇ１ＸＲＡＮを介して、遠隔ユニットに対するページ応答メッセージングを受信することと、を含む方法が含まれる。
【００１２】
本発明の実施形態には、３Ｇ１Ｘネットワークと無線パケット・データ・ネットワークとの間の相互運用を促進するためのさらに他の方法が含まれる。本方法には、パケット・データ・ネットワーク・ラジオ・アクセス・ネットワーク（ＲＡＮ）を介して、遠隔ユニットに対するＲＡＮ発信ページング要求メッセージングを３Ｇ１ＸＲＡＮから受信することと、ＲＡＮ発信ページング要求メッセージングを受信することに応答して、遠隔ユニットを、パケット・データ・ネットワークＲＡＮを介してページングすることと、ＲＡＮ発信ページング要求メッセージングを受信することに応答して、パケット・データ・ネットワークＲＡＮを介して、ＲＡＮ発信ページ応答メッセージングを３Ｇ１ＸＲＡＮに送ることと、を含む方法が含まれる。
【発明を実施するための最良の形態】
【００１３】
図１は、本発明の複数の実施形態による、３Ｇ１Ｘネットワークとこれが接続される無線パケット・データ・ネットワークとを含む無線通信システムのブロック図表現である。図１に示す無線パケット・データ・ネットワークは、ＨＲＰＤネットワークである。しかし本発明は、ＨＲＰＤネットワークに限定されない。たとえば、図１の無線通信システムには、代替的または付加的に、無線パケット・データ・ネットワークとして、ＩＥＥＥ８０２．１６および／または８０２．２０ネットワークに基づくものなどが含まれていても良い。また、ＭＳ／ＡＴ１０１はハイブリッド・モバイルと言われることが多いが、本発明におけるＭＳ／ＡＴは、モバイル・デバイス自体には限定されない。たとえば、ＭＳには、ラジオ・アクセス・ネットワークたとえばコンピュータ、携帯情報端末（ＰＤＡ）、ゲーム機などに無線で接続されるあらゆる種類のデバイスが含まれ得る。
【００１４】
図２は、本発明の複数の実施形態による、３Ｇ１ｘネットワーク上にオーバーレイされる無線パケット・データ・ネットワークに対する典型的な配置トポロジーを示すブロック図表現である。図２の太い線は、３Ｇ１ｘネットワーク・エンティティおよびインターフェースに対応する。図２の残りの線は、ＨＲＰＤネットワーク・エンティティおよびインターフェースに対応する。１ｘＢＴＳおよびＨＲＰＤ−ＡＮＴＳは、１：１またはＭ：Ｎ構成でオーバーレイしても良い。ＢＴＳ／ＡＮＴＳは、２つ以上のセル上でオーバーレイしても良い。ネットワーク構成に応じて、ページング区域を、オーバーレイされたセルに渡って分割しても良い。図２には種々のトポロジーが示されている。
【００１５】
トポロジーＡ：ＨＲＰＤオーバーレイを伴わない１ｘセル；
トポロジーＢ：複数の１ｘセル上でオーバーレイされた１ＨＲＰＤセル；
トポロジーＣ：１つの１ｘセル上でオーバーレイされた複数のＨＲＰＤセル；
トポロジーＤ：複数の１ｘセル上でオーバーレイされた複数のＨＲＰＤセル。ページング区域は中央部のセルにおいて分割しても良い；
トポロジーＥ：１ｘセル上でオーバーレイされた１ＨＲＰＤセル；
トポロジーＦ：１ｘ有効範囲を伴わないＨＲＰＤセル。
【００１６】
図３〜５に、Ａｙインターフェースを介してＣＳＮＰをサポートするための代替的な構成を示す。すなわち、１ｘアンカーされたＢＳ構成、１ｘネットワーク上に１：１オーバーレイされたＡＮ構成、および１ｘネットワーク上にＭ：ＮオーバーレイされたＡＮ構成である。これらの構成を説明する上で、以下の仮定を行なう。１ｘネットワークは、パケット・データ・サービスをサポートしても良いが、説明上ここでは、１ｘネットワークは、回線サービスをサポートするために用いると仮定する。パケット・データ・コールは、パケット・データ・ネットワーク（ＨＲＰＤ、たとえば）によってサポートされる。このアーキテクチャに対してページングおよび登録を説明するが、ＣＳＮＰによってサポートされる他の１ｘメッセージも、アーキテクチャによってサポートされる。
【００１７】
図３は、本発明の複数の実施形態による、３Ｇ１Ｘネットワーク上にオーバーレイされた無線パケット・データ・ネットワークに対するアンカーされた３Ｇ１Ｘ基地局構成を示すブロック図表現である。アンカーされたＢＳアーキテクチャでは、ハイブリッドＡＴ／ＭＳを、アンカーＢＳのページング区域の下でＭＳＣに登録する。アンカーＢＳは、１ｘシグナリング・メッセージを、ハイブリッドＡＴ／ＭＳとの間でＨＲＰＤ−ＡＮを介して送受信する役割を果たす。アンカーＢＳがＩＭＳＩ−ＡＮマッピングを維持すれば、ページングの溢れを回避することができる。
【００１８】
図４および５は、本発明の複数の実施形態による、３Ｇ１Ｘネットワーク上にオーバーレイされた無線パケット・データ・ネットワークに対するアクセス・ネットワーク（ＡＮ）−基地局（ＢＳ）１：１およびＭ：Ｎ直接インターフェース構成のブロック図表現である。アンカーされた構成とは異なり、複数のＢＳが存在し、これらのＢＳが、１ｘシグナリング・メッセージを、ハイブリッドＡＴ／ＭＳとの間でそれらのオーバーレイされたＨＲＰＤ−ＡＮ対応物を介して送受信し得る。各ＢＳがＩＭＳＩ／ＡＮマッピングを維持すれば、Ａｙ上のページング・メッセージは、ＭＳが登録されるＡＮを目標とし、二重ページングを防止することができる。
【００１９】
図６は、本発明の複数の実施形態による、アンカーされたＢＳ構成に対する３Ｇ１Ｘネットワークを用いたＡＮ開始の登録を表わす典型的なコール・フロー図である。以下は、図６の最も右側の列に標示されるコール・フロー時間軸の詳細な説明である。
【００２０】
ａ．コール・セットアップまたはモビリティ・イベントが、ＨＲＰＤオーバーレイされたネットワーク内のＡＮにおいて行なわれる。ハイブリッドＡＴおよびＨＲＰＤネットワークは、既存のＴＩＡ−８７８またはＴＩＡ−１８７８手続きを用いて手続きを完了する。ＰＣＦは、ＡＴのＩＭＳＩを、Ａ９−接続−Ａ８またはＡ９−解放−Ａ８完了メッセージにおいてＡＮに渡す。ＡＮには、ＵＡＴＩ−ＩＭＳＩマッピングが記憶される。ＰＣＦには、ＡＮに登録の開始を要求する表示が含まれる。
【００２１】
ｂ．ＡＮは、Ａｙ命令による登録要求メッセージをＢＳに送って、ＢＳに１ｘ命令による登録手続きの開始を要求する。ＡＮは、タイマＴ−ａｙ−ｏｒｄｒｅｇを開始する。
ｃ．ＢＳは、Ａｙ命令による登録応答メッセージをＡＮに送る。
【００２２】
ｄ．ＡＮは、ＴＩＡ−２０００登録要求命令を含む３Ｇ１ｘサービス・パケットをＡＴに送る。
ｅ．ＡＴは、ＴＩＡ−２０００登録メッセージを含む３Ｇ１ｘサービス・パケットによって応答する。
【００２３】
ｆ．ＡＮは、モバイルの登録メッセージをＡｙ−ＣＳＮＰ受信メッセージにおいて、ＨＲＰＤアンカーされたＢＳに転送する。そしてＡＮは、タイマＴａｙ−ｃｓｎｐを開始する。
【００２４】
ｇ．Ａｙ−ＣＳＮＰ受信メッセージをＨＲＰＤ−ＡＮから受信すると、ＢＳは、位置更新要求メッセージを構成し、それを完全レイヤ３情報メッセージに入れて、ＭＳＣに送る。そしてＢＳは、タイマＴ３２１０を開始する。
【００２５】
ｈ．ＭＳＣは、位置更新承認メッセージをＢＳに送って、位置更新要求メッセージが処理されたことを示す。ＡＴは、この時点で、ＨＲＰＤアンカーＢＳにおけるＭＳＣにおいて登録される。位置更新承認メッセージを受信すると、ＢＳは、タイマＴ３２１０を停止する。アンカーＢＳは、ＡＴのＩＭＳＩをＡＮに対してマッピングする。
【００２６】
ｉ．ＨＲＰＤアンカーＢＳは、Ａｙ−ＣＳＮＰ−Ａｃｋ（ＭＳに送るメッセージなし）またはＡｙ−ＣＳＮＰ送信Ａｃｋメッセージ（登録承認済み命令を含む）を、ＨＲＰＤ−ＡＮに送る。どちらかのメッセージを受信すると、ＢＳは、タイマＴａｙ−ｃｓｎｐを停止する。
【００２７】
ｊ．ＡＮ−ＣＳＮＰ送信ＡｃｋがＡＮに送られた場合には、ＡＮは、３Ｇ１ｘサービス・パケット登録承認済み命令をＭＳに送って、命令した登録手続きの成功を示す。
図７は、本発明の複数の実施形態による、アンカーされたＢＳ構成に対する高レート・パケット・データ（ＨＲＰＤ）ネットワーク上のアクティブ状態のパケット・データ・セッション中のアクセス端末（ＡＴ）開始の３Ｇ１Ｘ登録を表わす典型的なコール・フロー図である。以下は、図７の最も右側の列に標示されるコール・フロー時間軸の詳細な説明である。
【００２８】
ａ．ハイブリッドＡＴは、オーバーレイされたＨＲＰＤネットワークによりアクティブ状態のパケット・データ・セッションに参加している。ハイブリッドＡＴは、ＴＩＡ−２０００登録メッセージを含む３Ｇ１Ｘサービス・パケットをＡＮに送る。
【００２９】
ｂ．ＡＮは、モバイルの登録メッセージをＡｙ−登録更新要求メッセージにおいて、ＨＲＰＤアンカーされたＢＳへ転送する。そしてＡＮは、タイマＴａｙ−ｃｓｎｐを開始する。
【００３０】
ｃ．ＨＲＰＤ−ＡＮからＡｙ登録更新要求メッセージを受信すると、ＢＳは、位置更新要求メッセージを構成し、それを完全レイヤ３情報メッセージに入れて、ＭＳＣへ送る。そしてＢＳは、タイマＴ３２１０を開始する。
【００３１】
ｄ．ＭＳＣは、位置更新承認メッセージをＢＳに送って、位置更新要求メッセージが処理されたことを示す。ＡＴは、この時点で、ＨＲＰＤアンカーＢＳにおけるＭＳＣにおいて登録される。位置更新承認メッセージを受信すると、ＢＳは、タイマＴ３２１０を停止する。アンカーＢＳは、ＡＴのＩＭＳＩをＡＮに対してマッピングする。
【００３２】
ｅ．ＨＲＰＤアンカーＢＳは、Ａｙ−ＣＳＮＰ−Ａｃｋ（ＭＳに送るメッセージなし）またはＡｙ−ＣＳＮＰ送信Ａｃｋメッセージ（登録承認済み命令を含む）をＨＲＰＤ−ＡＮへ送る。どちらかのメッセージを受信すると、ＢＳは、タイマＴａｙ−ｃｓｎｐを停止する。
【００３３】
ｆ．ＡＮ−ＣＳＮＰ送信Ａｃｋ（ＩＭＳＩを含む）がＡＮに送られた場合には、ＡＮは、３Ｇ１ｘサービス・パケット登録承認済み命令をＭＳへ送って、命令した登録手続きの成功を示す。
【００３４】
図８は、本発明の複数の実施形態による、アンカーされたＢＳ構成に対する高レート・パケット・データ（ＨＲＰＤ）ネットワーク上の休止状態のパケット・データ・セッション中のＡＴ開始の３Ｇ１Ｘ登録を表わす典型的なコール・フロー図である。以下は、図８の最も右側の列に標示されるコール・フロー時間軸の詳細な説明である。
【００３５】
ａ．ハイブリッドＡＴは、オーバーレイされたＨＲＰＤネットワークにより休止状態のパケット・データ・セッションに参加している。
ｂ．ハイブリッドＡＴは、ＴＩＡ−２０００登録メッセージを含む３Ｇ１Ｘサービス・パケットを、ＡＮに送る。
【００３６】
ｃ．ＡＮは、モバイルの登録メッセージをＡｙ登録更新要求メッセージにおいて、ＨＲＰＤアンカーされたＢＳへ転送する。そしてＡＮは、タイマＴａｙ−ｃｓｎｐを開始する。
【００３７】
ｄ．ＨＲＰＤ−ＡＮからＡｙ登録更新要求メッセージを受信すると、ＢＳは、位置更新要求メッセージを構成し、それを完全レイヤ３情報メッセージに入れて、ＭＳＣへ送る。そしてＢＳは、タイマＴ３２１０を開始する。
【００３８】
ｅ．ＭＳＣは、位置更新承認メッセージをＢＳに送って、位置更新要求メッセージが処理されたことを示す。ＡＴは、この時点で、ＨＲＰＤアンカーＢＳにおけるＭＳＣにおいて登録される。位置更新承認メッセージを受信すると、ＢＳは、タイマＴ３２１０を停止する。アンカーＢＳは、ＡＴのＩＭＳＩをＡＮに対してマッピングする。
【００３９】
ｆ．ＨＲＰＤアンカーＢＳは、Ａｙ−ＣＳＮＰ−Ａｃｋ（ＭＳに送るメッセージなし）またはＡｙ−ＣＳＮＰ送信Ａｃｋメッセージ（登録承認済み命令を含む）をＨＲＰＤ−ＡＮへ送る。モバイルＩＭＳＩは、メッセージに含まれている。どちらかのメッセージを受信すると、ＡＮは、タイマＴａｙ−ｃｓｎｐを停止する。次のステップが行なわれるのは、ＢＳがＡｙ−ＣＳＮＰ送信ＡｃｋメッセージをＡＮへ送ったときのみである。
【００４０】
ｇ．ＡＮは、Ａ９−セッション情報要求メッセージを、受信したＩＭＳＩとともにＰＣＦへ送り、ＴＡ９−ｓｅｓｓｉｎｆｏタイマを開始する。
ｈ．ＰＣＦは、受信したＩＭＳＩを用いて、ＡＴに割り当てられたＵＡＴＩを見つけ、それをＡＮへＡ９−セッション情報応答メッセージにおいて送り返す。ＡＮは、ＴＡ９−ｓｅｓｓｉｎｆｏタイマを停止する。
【００４１】
ｉ．ＡＮは、３Ｇ１ｘサービス・パケット登録承認済み命令をＭＳへ送って、命令した登録手続きの成功を示す。
図９は、本発明の複数の実施形態による、アンカーされたＢＳ構成に対するアクティブ状態のＨＲＰＤパケット・データ・セッション中にＡＴに送られる１Ｘ音声ページを表わす典型的なコール・フロー図である。以下は、図９の最も右側の列に標示されるコール・フロー時間軸の詳細な説明である。
【００４２】
ａ．ハイブリッドＡＴは、オーバーレイされたＨＲＰＤパケット・データ・ネットワーク上でアクティブ状態のパケット・データ・セッションに参加している。ＰＣＦは、ＩＭＳＩをＡＮへ、Ａ８ベアラ接続が設定されるときに送る。ＡＮは、ＡＴのＩＭＳＩ／ＵＡＴＩマッピングを、そのパケット・データ・セッションがアクティブ状態のときに維持する。
【００４３】
ｂ．ＭＳＣは、着信コールがそのサービス対象領域内のＡＴで終了することを判定し、Ａ１−ページング要求メッセージをＨＲＰＤアンカーＢＳへ送って、モバイルで終了したコール・セットアップ手続きを開始する。ＭＳＣは、ＡＴがＨＲＰＤネットワークにおいてパケット・データ・セッションに参加していることを、知らなくても良い。ＭＳＣは、タイマＴ３１１３を開始する。
【００４４】
ｃ．ＨＲＰＤアンカーＢＳは、ＧＰＭメッセージを無線で送っても良い。ＡＮは、Ａｙ−ページング要求メッセージ（Ａ１−ページング要求メッセージを含む）を、ＨＲＰＤネットワーク内のＡＮへ送る。ＨＲＰＤアンカーＢＳがＩＭＳＩ／ＡＮマッピング・テーブル（登録中に更新される）を維持する場合には、ページ・メッセージは、モバイルが登録されているＨＲＰＤネットワーク内のＡＮのみに送られる。ＨＲＰＤアンカーＢＳは、タイマＴＡｙ−ｐｇｒｅｑを開始する。
【００４５】
ｄ．ＡＮは、受信したＩＭＳＩを用いて、ページングすべきＡＴに割り当てられたＵＡＴＩを見出す。ＡＮは、１ｘＧＰＭを含む３Ｇ１ｘサービス・パケットをＡＴへ送る。
ｅ．ＡＮは、Ａｙ−ページング応答メッセージによってＨＲＰＤアンカーＢＳに応答して、ＡＴを見出したことを示す。ＢＳは、ＢＳからＡｙ−ページング応答メッセージを受信したら、タイマＴＡｙ−ｐｇｒｅｑを停止する。
【００４６】
ｆ．ＡＴは、ＨＲＰＤネットワークへのデータ送信を停止する。
ｇ．ＡＮは、送信が消失したことをタイムアウト後に検出して、Ａ９−解放Ａ８メッセージをＰＣＦへ、ＰＣＦに対する「エア・リンク消失」を示す原因値とともに送り、タイマＴｒｅｌ９を開始する。
【００４７】
ｈ．ＰＣＦは、アクティブ状態停止アカウンティング記録を含むＡ１１−登録要求メッセージをＰＤＳＮへ送り、タイマＴｒｅｇｒｅｑを開始する。ＰＤＳＮが、ＧＲＥパケット・フロー制御を接続に対してサポートする場合には、ＰＣＦはフロー制御（接続に対してサポートされているならば）の開始を要求して、パケット・データ・セッションのネットワーク開始の再活性化を防止するようにしても良い。
【００４８】
ｉ．ＰＤＳＮは、Ａ１１−登録返答メッセージをＰＣＦへ送る。ＰＣＦは、このメッセージを受信したら、タイマＴｒｅｇｒｅｑを停止する。
ｊ．ＰＣＦは、Ａ９−解放−Ａ８完了メッセージをＡＮへ送る。ＡＮは、タイマＴｒｅｌ９を停止する。
【００４９】
ｋ．ＡＴは、１ｘページ応答メッセージをＢＳへ送る。このステップは、ステップｅの後であればいつ行なっても良い。
ｌ．ＢＳは、Ａ１−ページ応答メッセージをＭＳＣへ送る。
【００５０】
ｍ．既存のＴＩＡ−２０００およびＩＯＳ手続きを用いて、１ｘ音声コールのセット・アップを完了する。
図１０は、本発明の複数の実施形態による、アンカーされたＢＳ構成に対する休止状態のＨＲＰＤパケット・データ・セッション中にＡＴに送られる１Ｘ音声ページを表わす典型的なコール・フロー図である。以下は、図１０の最も右側の列に標示されるコール・フロー時間軸の詳細な説明である。
【００５１】
ａ．ハイブリッドＡＴは、オーバーレイされたＨＲＰＤパケット・データ・ネットワーク上で、休止状態のパケット・データ・セッションに参加している。
ｂ．ＭＳＣは、着信コールがそのサービス対象領域内のＡＴで終了したことを判定し、Ａ１−ページング要求メッセージをＨＲＰＤアンカーＢＳへ送って、モバイルで終了したコール・セットアップ手続きを開始する。ＭＳＣは、ＡＴがＨＲＰＤネットワークにおいてパケット・データ・セッションに参加していることを知らなくても良い。ＭＳＣは、タイマＴ３１１３を開始する。
【００５２】
ｃ．ＨＲＰＤアンカーＢＳは、ページ・メッセージを、ＧＰＭにおいて無線で、またＡｙ−ページング要求メッセージにおいて、ＨＲＰＤネットワーク内のＡＮへ転送する。ＨＲＰＤアンカーＢＳがＩＭＳＩ／ＡＮマッピング・テーブルを維持する場合には、ページ・メッセージは、モバイルが登録されているＨＲＰＤネットワーク内のＡＮへ送られる。ＨＲＰＤアンカーＢＳは、タイマＴＡｙ−ｐｇｒｅｑを開始する。
【００５３】
ｄ．ＡＮは、Ａｙ−ページング要求メッセージにおいて受信したＩＭＳＩを、ＡＮ上のアクティブ状態のパケット・データ・コールに対して割り当てられたＵＡＴＩにマッチングさせることはできない。ＡＮは、Ａ９−セッション情報要求メッセージを、受信したＩＭＳＩとともにＰＣＦへ送り、ＴＡ９−ｓｅｓｓｉｎｆｏタイマを開始する。
【００５４】
ｅ．ＰＣＦは、受信したＩＭＳＩを用いて、ＡＴに割り当てられたＵＡＴＩを見つけ、それをＡＮへ、Ａ９−セッション情報応答メッセージにおいて送り返す。ＡＮは、ＴＡ９−ｓｅｓｓｉｎｆｏタイマを停止する。
【００５５】
ｆ．ＡＮは、１ｘＧＰＭを含む３Ｇ１Ｘサービス・パケットをＡＴへ送る。注意：ＡＮは、ネットワーク開始のパケット・データ・セッションをモバイルが受信しないように、ＰＣＦに、休止状態のセッションに対するＰＤＳＮによるフロー制御を開始するように要求しても良い。
【００５６】
ｇ．ＡＮは、Ａｙ−ページング応答メッセージによってＨＲＰＤアンカーＢＳに応答して、ＡＴを見出したことを示す。ＢＳは、ＢＳからページング応答メッセージを受信したら、タイマＴＡｙ−ｐｇｒｅｑを停止する。
【００５７】
ｈ．ＡＴは、ページ応答メッセージをＢＳへ送る。このステップは、ステップｇの後であればいつでも行なうことができる。
ｉ．ＢＳは、ページ応答メッセージをＭＳＣへ送る。
【００５８】
ｊ．既存のＴＩＡ−２０００およびＩＯＳ手続きを用いて、１ｘ音声コールのセット・アップを完了する。
図１１は、本発明の複数の実施形態による、アンカーされたＢＳ構成に対する、ＡＴが見出されないときのＨＲＰＤネットワークを介した１Ｘページを表わす典型的なコール・フロー図である。以下は、図１１の最も右側の列に標示されるコール・フロー時間軸の詳細な説明である。
【００５９】
ａ．ＭＳＣは、着信コールがそのサービス対象領域内のＡＴで終了したことを判定し、Ａ１−ページング要求メッセージをＨＲＰＤアンカーＢＳへ送って、モバイルで終了したコール・セットアップ手続きを開始する。ＭＳＣは、ＡＴがＨＲＰＤネットワークにおいてパケット・データ・セッションに参加していることを知らない。ＭＳＣは、タイマＴ３１１３を開始する。
【００６０】
ｂ．ＨＲＰＤアンカーＢＳは、ページ・メッセージを、ＧＰＭにおいて無線で、またＡｙ−ページング要求メッセージにおいて、ＨＲＰＤネットワーク内のＡＮへ転送する。ＨＲＰＤアンカーＢＳがＩＭＳＩ／ＡＮマッピング・テーブルを維持する場合には、ページ・メッセージは、モバイルが登録されているＨＲＰＤネットワーク内のＡＮへ送られる。ＨＲＰＤアンカーＢＳは、タイマＴＡｙ−ｐｇｒｅｑを開始する。
【００６１】
ｃ．ＡＮは、Ａｙ−ページング要求メッセージにおいて受信したＩＭＳＩを、ＡＮ上のアクティブ状態のパケット・データ・コールに対して割り当てられたＵＡＴＩにマッチングさせることはできない。ＡＮは、Ａ９−セッション情報要求メッセージを、受信したＩＭＳＩとともにＰＣＦへ送り、ＴＡ９−ｓｅｓｓｉｎｆｏタイマを開始する。
【００６２】
ｄ．ＰＣＦは、ＩＭＳＩに付随するＵＡＴＩ見つけることはできない。ＰＣＦは、Ａ９−セッション情報応答メッセージをＡＮへ送って、ＵＡＴＩが見出されなかったことを示す。ＡＮは、ＴＡ９−ｓｅｓｓｉｎｆｏタイマを停止する。
【００６３】
ｅ．ＡＮは、Ａｙ−ページング応答メッセージによってＨＲＰＤアンカーＢＳに応答して、失敗を示す。ＢＳは、ＢＳからページング応答メッセージを受信したら、タイマＴＡｙ−ｐｇｒｅｑを停止する。
【００６４】
ｆ．ＨＲＰＤアンカーＢＳは、Ａｙ−ページング要求メッセージを他のＡＮへ送っても良い。
図１２は、本発明の複数の実施形態による、アンカーされたインターフェースＢＳ構成または直接インターフェースＢＳ構成に対するアクティブ／休止状態のＨＲＰＤパケット・データ・セッション中にＡＴに送られるＣＳＮＰプロトコルによってサポートされる順方向リンク１ｘエア・インターフェース・メッセージを含む１ｘＣＳＮＰメッセージを表わす典型的なコール・フロー図である。ショート・メッセージ・サービスを一例として示すが、対応するＡ１シグナリング手続きを伴う他のＴＩＡ０２０００順方向リンク・エア・インターフェース・メッセージングも、フローによってサポートすることができる。以下は、図１２の最も右側の列に標示されるコール・フロー時間軸の詳細な説明である。
【００６５】
ａ．ハイブリッドＡＴは、オーバーレイされたＨＲＰＤパケット・データ・ネットワーク上で、休止状態のパケット・データ・セッションに参加している。セッションがアクティブ状態である場合には、ＡＮは、ＡＴに対するＩＭＳＩ／ＵＡＴＩマッピングを維持する。
【００６６】
ｂ．ＭＳＣは、回線サービス・メッセージをＢＳに送る（ＳＭＳに対するページ付加をこの場合の一例として示す）。ＭＳＣは、タイマＴ３１１３を開始する。
ｃ．ＢＳは、１ｘデータ・バーストをＡｙ−ＣＳＮＰ送信メッセージにおいて、ＨＲＰＤネットワーク内のＡＮに転送し、ＴＡ−ｔｒａｎｓｍｉｔを開始する。ステップｄ〜ｅが行なわれるのは、ＡＴのパケット・データ・セッションがアクティブ状態ではないか、またはＵＡＴＩがＡＮにおいて見出されない場合のみである。
【００６７】
ｄ．ＡＮは、Ａｙ−ＣＳＮＰ送信メッセージにおいて受信したＩＭＳＩを、ＡＮ上のアクティブ状態のパケット・データ・コールに対して割り当てられたＵＡＴＩにマッチングさせることはできない。ＡＮは、Ａ９−セッション情報要求メッセージを、受信したＩＭＳＩとともにＰＣＦへ送り、ＴＡ９−ｓｅｓｓｉｎｆｏタイマを開始する。
【００６８】
ｅ．ＰＣＦは、Ａ９−セッション情報応答メッセージによって、ＡＴに対するＵＡＴＩを伴って、ＡＮに応答する。
ｆ．ＡＮは、１ｘメッセージ（データ・バースト）をＡＴへ送る。
【００６９】
ｇ．ＡＮが受け取り通知を要求する場合には、ＡＴはメッセージの受信を、ＨＲＰＤ−ＳＬＰ−Ａｃｋを送ることによって確認応答する。
ｈ．ＡＴは、Ａｙ送信ＡｃｋメッセージをＢＳへ送る。ＢＳは、タイマＡｙ送信を停止する。
【００７０】
ｉ．ＭＳＣが、ページ付加メッセージ内にタグ情報要素を含むことによる確認応答を要求した場合には、ＢＳは、タグ情報を含むページ付加Ａｃｋメッセージによって返答する。
【００７１】
図１３は、本発明の複数の実施形態による、ＡＮ−ＢＳ間１：１直接インターフェース構成に対する３Ｇ１Ｘネットワークを用いたＡＮ開始の登録を表わす典型的なコール・フロー図である。以下は、図１３の最も右側の列に標示されるコール・フロー時間軸の詳細な説明である。
【００７２】
ａ．コール・セットアップまたはモビリティ・イベントが、ＨＲＰＤオーバーレイされたネットワーク内のＡＮにおいて行なわれる。ハイブリッドＡＴおよびＨＲＰＤネットワークは、既存のＴＩＡ−８７８またはＴＩＡ−１８７８手続きを用いて手続きを完了する。ＰＣＦは、ＡＴのＩＭＳＩをＡＮに、Ａ９−接続−Ａ８またはＡ９−解放−Ａ８完了メッセージにおいて渡す。ＡＮには、ＵＡＴＩ−ＩＭＳＩマッピングが記憶される。ＰＣＦには、ＡＮに登録の開始を要求する表示が含まれる。
【００７３】
ｂ．ＡＮは、Ａｙ命令による登録要求メッセージをＢＳに送って、ＢＳに１ｘ命令による登録手続きの開始を要求する。ＡＮは、タイマＴ−ａｙ−ｏｒｄｒｅｇを開始する。
ｃ．ＢＳは、Ａｙ命令による登録応答メッセージをＡＮに送る。
【００７４】
ｄ．ＡＮは、ＴＩＡ−２０００登録要求命令を含む３Ｇ１ｘサービス・パケットをＡＴに送る。
ｅ．ＡＴは、ＴＩＡ−２０００登録メッセージを含む３Ｇ１ｘサービス・パケットにより応答する。
【００７５】
ｆ．ＡＮは、モバイルの登録メッセージをＡｙ−ＣＳＮＰ受信メッセージにおいて１ｘＢＳへ転送する。そしてＡＮは、タイマＴａｙ−ｃｓｎｐを開始する。
ｇ．Ａｙ−ＣＳＮＰ受信メッセージをＨＲＰＤ−ＡＮから受信すると、ＢＳは、位置更新要求メッセージを構成し、それを完全レイヤ３情報メッセージに入れて、ＭＳＣへ送る。そしてＢＳは、タイマＴ３２１０を開始する。
【００７６】
ｈ．ＭＳＣは、位置更新承認メッセージをＢＳに送って、位置更新要求メッセージが処理されたことを示す。ＡＴは、この時点で、１ｘＢＳにおけるＭＳＣにおいて登録される。位置更新承認メッセージを受信すると、ＢＳは、タイマＴ３２１０を停止する。アンカーＢＳは、ＡＴのＩＭＳＩをＡＮに対してマッピングする。
【００７７】
ｉ．ＢＳは、Ａｙ−ＣＳＮＰ−Ａｃｋ（ＭＳに送るメッセージなし）またはＡｙ−ＣＳＮＰ送信Ａｃｋメッセージ（登録承認済み命令を含む）をＨＲＰＤ−ＡＮへ送る。どちらかのメッセージを受信すると、ＢＳは、タイマＴａｙ−ｃｓｎｐを停止する。
【００７８】
ｊ．ＡＮ−ＣＳＮＰ送信ＡｃｋがＡＮへ送られた場合には、ＡＮは、登録承認済み命令を含む３Ｇ１ｘサービス・パケットをＭＳへ送って、命令した登録手続きの成功を示す。
図１４は、本発明の複数の実施形態による、ＡＮ−ＢＳ間１：１直接インターフェース構成に対するＨＲＰＤネットワーク上でのアクティブ状態のパケット・データ・セッション中のＡＴ開始の３Ｇ１Ｘ登録を表わす典型的なコール・フロー図である。以下は、図１４の最も右側の列に標示されるコール・フロー時間軸の詳細な説明である。
【００７９】
ａ．ハイブリッドＡＴは、オーバーレイされたＨＲＰＤネットワークによりアクティブ状態のパケット・データ・セッションに参加している。
ｂ．ハイブリッドＡＴは、ＴＩＡ−２０００登録メッセージを含む３Ｇ１Ｘサービス・パケットをＡＮへ送る。
【００８０】
ｃ．ＡＮは、モバイルの登録メッセージを、Ａｙ登録更新要求メッセージにおいてＢＳへ転送する。そしてＡＮは、タイマＴａｙ−ｃｓｎｐを開始する。
ｄ．ＨＲＰＤ−ＡＮからＡｙ登録更新要求メッセージを受信すると、ＢＳは、位置更新要求メッセージを構成し、それを完全レイヤ３情報メッセージに入れて、ＭＳＣへ送る。そしてＢＳは、タイマＴ３２１０を開始する。
【００８１】
ｅ．ＭＳＣは、位置更新承認メッセージをＢＳに送って、位置更新要求メッセージが処理されたことを示す。ＡＴは、この時点で、１ｘＢＳにおけるＭＳＣにおいて登録される。位置更新承認メッセージを受信すると、ＢＳは、タイマＴ３２１０を停止する。アンカーＢＳは、ＡＴのＩＭＳＩをＡＮに対してマッピングする。
【００８２】
ｆ．ＢＳは、Ａｙ−ＣＳＮＰ−Ａｃｋ（ＭＳに送るメッセージなし）またはＡｙ−ＣＳＮＰ送信Ａｃｋメッセージ（登録承認済み命令を含む）をＨＲＰＤ−ＡＮへ送る。どちらかのメッセージを受信すると、ＢＳは、タイマＴａｙ−ｃｓｎｐを停止する。
【００８３】
ｇ．ＡＮ−ＣＳＮＰ送信Ａｃｋ（ＩＭＳＩを含む）がＡＮに送られると、ＡＮは、３Ｇ１ｘサービス・パケット登録承認済み命令をＭＳへ送って、命令した登録手続きの成功を示す。
【００８４】
図１５は、本発明の複数の実施形態による、ＡＮ−ＢＳ間１：１直接インターフェース構成に対するＨＲＰＤネットワーク上での休止状態のパケット・データ・セッション中のＡＴ開始の３Ｇ１Ｘ登録を表わす典型的なコール・フロー図である。以下は、図１５の最も右側の列に標示されるコール・フロー時間軸の詳細な説明である。
【００８５】
ａ．ハイブリッドＡＴは、オーバーレイされたＨＲＰＤネットワークにおいて休止状態のパケット・データ・セッションに参加している。
ｂ．ハイブリッドＡＴは、ＴＩＡ−２０００登録メッセージを含む３Ｇ１Ｘサービス・パケットを、ＡＮに送る。
【００８６】
ｃ．ＡＮは、モバイルの登録メッセージをＡｙ登録更新要求メッセージにおいて、ＨＲＰＤアンカーされたＢＳへ転送する。そしてＡＮは、タイマＴａｙ−ｃｓｎｐを開始する。
【００８７】
ｄ．ＨＲＰＤ−ＡＮからＡｙ登録更新要求メッセージを受信すると、ＢＳは、位置更新要求メッセージを構成し、それを完全レイヤ３情報メッセージに入れて、ＭＳＣへ送る。そしてＢＳは、タイマＴ３２１０を開始する。
【００８８】
ｅ．ＭＳＣは、位置更新承認メッセージをＢＳに送って、位置更新要求メッセージが処理されたことを示す。ＡＴは、この時点で、ＨＲＰＤアンカーＢＳにおけるＭＳＣにおいて登録される。位置更新承認メッセージを受信すると、ＢＳは、タイマＴ３２１０を停止する。
【００８９】
ｆ．ＢＳは、Ａｙ−ＣＳＮＰ−Ａｃｋ（ＭＳに送るメッセージなし）またはＡｙ−ＣＳＮＰ送信Ａｃｋメッセージ（登録承認済み命令を含む）をＨＲＰＤ−ＡＮへ送る。モバイルＩＭＳＩは、メッセージに含まれている。どちらかのメッセージを受信すると、ＡＮはタイマＴａｙ−ｃｓｎｐを停止する。次のステップが行なわれるのは、ＢＳがＡｙ−ＣＳＮＰ送信ＡｃｋメッセージをＡＮへ送ったときのみである。
【００９０】
ｇ．ＡＮは、Ａ９−セッション情報要求メッセージを、受信したＩＭＳＩとともにＰＣＦへ送り、ＴＡ９−ｓｅｓｓｉｎｆｏタイマを開始する。
ｈ．ＰＣＦは、受信したＩＭＳＩを用いて、ＡＴに割り当てられたＵＡＴＩを見つけ、それをＡＮへＡ９−セッション情報応答メッセージにおいて送り返す。ＡＮは、ＴＡ９−ｓｅｓｓｉｎｆｏタイマを停止する。
【００９１】
ｉ．ＡＮは、３Ｇ１ｘサービス・パケット登録承認済み命令をＭＳへ送って、命令した登録手続きの成功を示す。
図１６は、本発明の複数の実施形態による、ＡＮ−ＢＳ間１：１直接インターフェース構成に対するアクティブ状態のＨＲＰＤパケット・データ・セッション中のＡＴに対する１Ｘ音声ページを表わす典型的なコール・フロー図である。以下は、図１６の最も右側の列に標示されるコール・フロー時間軸の詳細な説明である。
【００９２】
ａ．ハイブリッドＡＴは、オーバーレイされたＨＲＰＤパケット・データ・ネットワーク上でアクティブ状態のパケット・データ・セッションに参加している。ＰＣＦは、ＩＭＳＩをＡＴへ、Ａ８ベアラ接続が設定されるときに送る。ＡＮは、ＡＴのＩＭＳＩ／ＵＡＴＩマッピングを、そのパケット・データ・セッションがアクティブ状態である間、維持する。
【００９３】
ｂ．ＭＳＣは、着信コールがそのサービス対象領域内のＡＴで終了したことを判定し、Ａ１−ページング要求メッセージを１ｘＢＳＢＳへ送って、モバイルで終了したコール・セットアップ手続きを開始する。ＭＳＣは、ＡＴがＨＲＰＤネットワークにおいてパケット・データ・セッションに参加していることを知らない。ＭＳＣは、タイマＴ３１１３を開始する。
【００９４】
ｃ．ＢＳは、ページ・メッセージを、ＧＰＭにおいて無線で、またＡｙ−ページング要求メッセージ（１ｘＧＰＭメッセージおよびＩＭＳＩを含む）において、ＨＲＰＤ−ＡＮへ送る。ＢＳは、タイマＴＡｙ−ｐｇｒｅｑを開始する。
【００９５】
ｄ．ＡＮは、受信したＩＭＳＩを用いて、ページングすべきＡＴに割り当てられたＵＡＴＩを見出す。ＡＮは、１ｘＧＰＭを含む３Ｇ１Ｘサービス・パケットをＡＴへ送る。
ｅ．ＡＮは、Ａｙ−ページング応答メッセージによってＢＳに応答して、ＡＴを見出したことを示す。ＢＳは、ＢＳからページング応答メッセージを受信したら、タイマＴＡｙ−ｐｇｒｅｑを停止する。
【００９６】
ｆ．ＡＴは、ＨＲＰＤネットワークへのデータ送信を停止する。
ｇ．ＡＮは、送信が消失したことをタイムアウト後に検出して、Ａ９−解放Ａ８メッセージをＰＣＦへ、ＰＣＦに対する「エア・リンク消失」を示す原因値とともに送り、タイマＴｒｅｌ９を開始する。
【００９７】
ｈ．ＰＣＦは、アクティブ状態停止アカウンティング記録を含むＡ１１−登録要求メッセージをＰＤＳＮへ送り、タイマＴｒｅｇｒｅｑを開始する。ＰＤＳＮが、ＧＲＥパケット・フロー制御を接続に対してサポートする場合には、ＰＣＦはフロー制御（接続に対してサポートされているならば）の開始を要求して、パケット・データ・セッションのネットワーク開始の再活性化を防止するようにしても良い。
【００９８】
ｉ．ＰＤＳＮは、Ａ１１−登録返答メッセージをＰＣＦへ送る。ＰＣＦは、このメッセージを受信したら、タイマＴｒｅｇｒｅｑを停止する。
ｊ．ＰＣＦは、Ａ９−解放−Ａ８完了メッセージをＡＮへ送る。ＡＮは、タイマＴｒｅｌ９を停止する。
【００９９】
ｋ．ＡＴは、１ｘページ応答メッセージをＢＳへ送る。このステップは、ステップｅの後であればいつ行なっても良い。
ｌ．ＢＳは、ページ応答メッセージをＭＳＣへ送る。
【０１００】
ｍ．既存のＴＩＡ−２０００およびＩＯＳ手続きを用いて、１ｘ音声コールのセット・アップを完了する。
図１７は、本発明の複数の実施形態による、ＡＮ−ＢＳ間１：１直接インターフェース構成に対する休止状態のＨＲＰＤパケット・データ・セッション中のＡＴに対する１Ｘ音声ページを表わす典型的なコール・フロー図である。以下は、図１７の最も右側の列に標示されるコール・フロー時間軸の詳細な説明である。
【０１０１】
ａ．ハイブリッドＡＴは、オーバーレイされたＨＲＰＤパケット・データ・ネットワーク上で、休止状態のパケット・データ・セッションに参加している。
ｂ．ＭＳＣは、着信コールがそのサービス対象領域内のＡＴで終了したことを判定し、Ａ１−ページング要求メッセージを１ｘＢＳへ送って、モバイルで終了したコール・セットアップ手続きを開始する。ＭＳＣは、ＡＴがＨＲＰＤネットワークにおいてパケット・データ・セッションに参加していることを知らない。ＭＳＣは、タイマＴ３１１３を開始する。
【０１０２】
ｃ．ＢＳは、ページ・メッセージを、ＧＰＭにおいて無線で、またＡｙ−ページング要求メッセージにおいて、ＨＲＰＤネットワーク内のＡＮへ転送する。ＨＲＰＤアンカーＢＳは、タイマＴＡｙ−ｐｇｒｅｑを開始する。
【０１０３】
ｄ．ＡＮは、Ａｙ−ページング要求メッセージにおいて受信したＩＭＳＩを、ＡＮ上のアクティブ状態のパケット・データ・コールに対して割り当てられたＵＡＴＩにマッチングさせることはできない。ＡＮは、Ａ９−セッション情報要求メッセージを、受信したＩＭＳＩとともにＰＣＦへ送り、ＴＡ９−ｓｅｓｓｉｎｆｏタイマを開始する。ＡＮは、ネットワーク開始のパケット・データ・セッションをモバイルが受信しないように、ＰＣＦに、休止状態のセッションに対するＰＤＳＮによるフロー制御を開始するように要求しても良い。
【０１０４】
ｅ．ＰＣＦは、受信したＩＭＳＩを用いて、ＡＴに割り当てられたＵＡＴＩを見つけ、それをＡＮへＡ９−セッション情報応答メッセージにおいて送り返す。ＡＮは、ＴＡ９−ｓｅｓｓｉｎｆｏタイマを停止する。
【０１０５】
ｆ．ＡＮは、１ｘＧＰＭを含む３Ｇ１Ｘサービス・パケットをＡＴへ送る。
ｇ．ＡＮは、Ａｙ−ページング応答メッセージによってＨＲＰＤアンカーＢＳに応答して、ＡＴを見出したことを示す。ＢＳは、ＢＳからページング応答メッセージを受信したら、タイマＴＡｙ−ｐｇｒｅｑを停止する。ステップｈ〜ｋが行なわれるのは、パケット・データ・セッションが、ＨＲＰＤネットワークにおいて解放されるべきである場合のみである。代替的に、セッションが休止状態のままでＰＤＳＮのフロー制御を要求することを、パケット・データ接続に対してフロー制御がＰＤＳＮによってサポートされる場合に行なう。
【０１０６】
ｈ．ＡＮはＡ９−更新−Ａ８メッセージをＰＣＦへ送る。ＡＮは、ネットワーク開始のパケット・データ・セッションをモバイルが受信しないように、ＰＣＦに、休止状態のセッションに対するＰＤＳＮによるフロー制御を開始するように要求しても良い。
【０１０７】
ｉ．ＰＣＦは、Ａ１１−登録要求メッセージをＰＤＳＮへ送る。
ｊ．ＰＤＳＮは、Ａ１１−登録返答メッセージによって応答する。
ｋ．ＰＣＦは、Ａ９−更新−Ａ８−ＡｃｋメッセージをＡＮへ送る。Ａｎは、Ａ９更新タイマを停止する。
【０１０８】
ｌ．ＡＴは、ページ応答メッセージをＢＳへ送る。このステップは、ステップｇの後であればいつでも行なうことができる。
ｍ．ＢＳは、ページ応答メッセージをＭＳＣへ送る。
【０１０９】
ｎ．既存のＴＩＡ−２０００およびＩＯＳ手続きを用いて、１ｘ音声コールのセット・アップを完了する。
図１８は、本発明の複数の実施形態による、ＡＮ−ＢＳ間Ｍ：Ｎ直接インターフェース構成に対する３Ｇ１Ｘネットワークを用いたＡＮ開始の登録を表わす典型的なコール・フロー図である。注意：ＰＣＦは、ＩＭＳＩを、登録要求命令において用いるべきＡ９−接続−Ａ８（パケット・コール・セットアップ）またはＡ９−解放−Ａ８完了（ＤＭＨＯ）において、ＡＮＣに送るものとする。この登録手続きが使用され得るのは、新しいパケット・データ・コールがＨＲＰＤネットワークによって設定されるか、モビリティ・イベントがＨＲＰＤネットワーク（休止／アクティブ状態のハンドオフ）内で行なわれるか、またはＭＳ／ＡＴがＨＲＰＤネットワーク内で登録するときである。ＡＮＣには、複数のＢＳＣに対する接続があっても良い。ＨＲＰＤセルによってオーバーレイされる１ｘセルの親になるＢＳＣは、Ａ１メッセージングをＭＳＣへ送り、Ａｙ上でＡＮＣに応答する。ＰＣＦは、Ａ９−接続−Ａ８に表示を含むことによって、１ｘ登録を開始する（最初のｈｒｐｄコール・セットアップまたは後のモビリティ・イベント−ｈｈｏ／ｄｍｈｏに対して）。登録に対する既存のＡ１位置更新手続きを用いる。理想的なオーバーレイでは、同じ１ｘＢＴＳの下で複数のページング区域が含まれていてはならないが、これが生じた場合でも、デザインはそれをサポートできるほど十分堅固である。ＨＲＰＤセルが、異なる登録区域に属する１ｘ−ＢＴＳにオーバーレイする場合には、複数のＢＳＣからの位置更新がＭＳＣに届いても良い。
【０１１０】
図１９は、本発明の複数の実施形態による、ＡＮ−ＢＳ間Ｍ：Ｎ直接インターフェース構成に対する３Ｇ１Ｘネットワークを用いたＡＮ開始の登録を表わす典型的なコール・フロー図である。
【０１１１】
図２０は、本発明の複数の実施形態による、ＡＮ−ＢＳ間Ｍ：Ｎ直接インターフェース構成に対するＨＲＰＤネットワーク上でのＡＴ開始の３Ｇ１Ｘ登録を表わす典型的なコール・フロー図である。注意：ＡＮには、複数のＢＳに対する接続があっても良い。ＨＲＰＤセルによってオーバーレイされる１ｘセルの親になるＢＳＣは、Ａ１メッセージングをＭＳＣに送り、Ａｙ上でＡＮに応答する。
【０１１２】
図２１ａ、２１ｂは、本発明の複数の実施形態による、ＡＮ−ＢＳ間Ｍ：Ｎ直接インターフェース構成に対するアクティブ状態のＨＲＰＤパケット・データ・セッション中のＡＴに対する１Ｘ音声ページを表わす典型的なコール・フロー図である。注意：二重ページングは、時間をずらして再ページングするかまたは１ｘ−ＢＳＣにおいてＨＲＰＤ登録状態を維持することによって、減らすかまたは回避することができる。
【０１１３】
図２２は、本発明の複数の実施形態による、３Ｇ１Ｘネットワークを用いたＨＲＰＤ−ＰＣＦ開始の登録を表わす典型的なコール・フロー図である。注意：ＩＭＳＩとＵＡＴＩとの間の双方向マッピングは、ＨＲＰＤセッションがアクティブ状態であるか休止状態であるかにかかわらず、ＨＲＰＤ−ＰＣＦにおいて行なわれる。ＨＲＰＤ−ＰＣＦは、１ＸＢＳに、登録要求命令を開始するように要求する。この登録手続きが使用され得るのは、新しいパケット・データ・コールがＨＲＰＤネットワークによって設定されるか、モビリティ・イベントがＨＲＰＤネットワーク（休止／アクティブ状態のハンドオフ）内で行なわれるか、またはＭＳ／ＡＴがＨＲＰＤネットワーク内で登録するときである。ＰＣＦは、Ａ９−接続−Ａ８に表示を含むことによって、１ｘ登録を開始する（最初のｈｒｐｄコール・セットアップまたは後のモビリティ・イベント−ｈｈｏ／ｄｍｈｏに対して）。登録に対する既存のＡ１位置更新手続きを用いる。
【０１１４】
図２３は、本発明の複数の実施形態による、ＨＲＰＤネットワーク上でのＡＴ開始の３Ｇ１Ｘ登録を表わす典型的なコール・フロー図である。以下は、図２３の最も右側の列に標示されるコール・フロー時間軸の詳細な説明である。
【０１１５】
ａ．ハイブリッドＡＴは、オーバーレイされたＨＲＰＤネットワークによりパケット・データ・コールに参加している。パケット・データ・セッションは、休止状態であっても良いしアクティブ状態であっても良い。
【０１１６】
ｂ．ハイブリッドＡＴは、ＴＩＡ−２０００登録メッセージを含む３Ｇ１Ｘサービス・パケットを、ＡＮに送る。
ｃ．ＡＮは、モバイルの登録メッセージを、トンネルされたＡ９メッセージおよびＡｚ−登録更新要求メッセージにおいて、ＨＲＰＤ−ＰＣＦへ転送する。ＨＲＰＤ−ＰＣＦは、Ａｚ−登録更新要求メッセージを１ＸＢＳへ送る。
【０１１７】
ｄ．Ａｚ−登録更新要求メッセージを受信すると、ＢＳは、位置更新要求メッセージを構成し、それを完全レイヤ３情報メッセージに入れて、ＭＳＣへ送る。そしてＢＳは、タイマＴ３２１０を開始する。
【０１１８】
ｅ．ＭＳＣは、位置更新承認メッセージをＢＳに送って、位置更新要求メッセージが処理されたことを示す。ＡＴは、この時点で、ＨＲＰＤアンカーＢＳにおけるＭＳＣにおいて登録される。位置更新承認メッセージを受信すると、ＢＳは、タイマＴ３２１０を停止する。任意的に、アンカーＢＳは、ＡＴのＩＭＳＩをＡＮに対してマッピングする。
【０１１９】
ｆ．ＨＲＰＤアンカーＢＳは、Ａｚ−登録更新応答メッセージをＨＲＰＤ−ＰＣＦへ送る。ＨＲＰＤ−ＰＣＦは、それをＡＮへＡ９メッセージとして送る。
ｇ．ＡＮは、ＴＩＡ−２０００登録承認済み命令を含む３Ｇ１Ｘサービス・パケットをＭＳへ送信して、位置登録動作の成功を示しても良い。
【０１２０】
図２４は、本発明の複数の実施形態による、アクティブ／休止状態のＨＲＰＤパケット・データ・セッション中のＡＴに対する１Ｘ音声ページを表わす典型的なコール・フロー図である。以下は、図２４の最も右側の列に標示されるコール・フロー時間軸の詳細な説明である。
【０１２１】
ａ．ハイブリッドＡＴは、オーバーレイされたＨＲＰＤパケット・データ・ネットワーク上でアクティブ状態のパケット・データ・セッションに参加している。ＰＣＦは、Ａ８ベアラ接続が設定されるときに、ＩＭＳＩを送る。Ａ９−接続−Ａ８メッセージに含まれる場合には、それによって、１ｘネットワークからページが送られるときにＩＭＳＩを検索するために行なう付加的な手続きが回避される。含まれない場合には、休止状態のＡＴをクロス・ページングする場合に行なうのと同じように、ＢＳは、ＩＭＳＩをＰＣＦから検索しなければならない。
【０１２２】
ｂ．ＭＳＣは、着信コールがそのサービス対象領域内のＡＴで終了したことを判定し、Ａ１−ページング要求メッセージを１ＸＢＳへ送って、モバイルで終了したコール・セットアップ手続きを開始する。ＭＳＣは、ＡＴがＨＲＰＤネットワークにおいてパケット・データ・セッションに参加していることを知らない。ＭＳＣは、タイマＴ３１１３を開始する。
【０１２３】
ｃ．１ＸＢＳは、ページ・メッセージを、ＧＰＭにおいて無線で、またＡｚ−ページング要求メッセージ（Ａ１−ページング要求メッセージを含む）において、ＨＲＰＤ−ＰＣＦへ送る。ＨＲＰＤ−ＰＣＦは、それをＡ９上でＡＮへ転送する。
【０１２４】
ｄ．ＡＮはＰＣＦにＡ９を介して応答し、ＰＣＦは、応答をＡｚ−ページング応答メッセージを介して１ＸＢＳへ転送する。
ｅ．ＡＮは、１ｘＧＰＭを含む３Ｇ１Ｘサービス・パケットをＡＴへ送る。
【０１２５】
ｆ．ＡＴは、ＨＲＰＤネットワークへのデータ送信を停止する。
ｇ．ＡＮは、送信が消失したことをタイムアウト後に検出して、Ａ９−解放Ａ８メッセージをＰＣＦへ、ＰＣＦに対する「エア・リンク消失」を表示する原因値とともに送り、タイマＴｒｅｌ９を開始する。
【０１２６】
ｈ．ＰＣＦは、アクティブ状態停止アカウンティング記録を含むＡ１１−登録要求メッセージをＰＤＳＮへ送り、タイマＴｒｅｇｒｅｑを開始する。ＰＤＳＮが、ＧＲＥパケット・フロー制御を接続に対してサポートする場合には、ＰＣＦはフロー制御の開始を要求する（ＰＣＦは、任意的にパケット・データ・セッションを解放しても良い）。
【０１２７】
ｉ．ＰＤＳＮは、Ａ１１−登録返答メッセージをＰＣＦへ送る。ＰＣＦは、このメッセージを受信したら、タイマＴｒｅｇｒｅｑを停止する。
ｊ．ＰＣＦは、Ａ９−解放−Ａ８完了メッセージをＡＮへ送る。ＡＮは、タイマＴｒｅｌ９を停止する。
【０１２８】
ｋ．ＡＴは、１ｘページ応答メッセージをＢＳへ送る。このステップは、ステップｅの後であればいつ行なっても良い。
ｌ．ＢＳは、ページ応答メッセージをＭＳＣへ送る。
【０１２９】
ｍ．既存のＴＩＡ−２０００およびＩＯＳ手続きを用いて、１ｘ音声コールのセット・アップを完了する。
図２５は、本発明の複数の実施形態による、ＣＳＮＰプロトコルで受信されるアクティブ／休止状態のＨＲＰＤパケット・データ・セッションによってサポートされるＲ１メッセージを表わす典型的なコール・フロー図である。以下は、図２５の最も右側の列に標示されるコール・フロー時間軸の詳細な説明である。
【０１３０】
ａ．ハイブリッドＡＴは、オーバーレイされたＨＲＰＤパケット・データ・ネットワーク上のパケット・データ・セッションに参加している。
ｂ．ＨＲＰＤネットワーク上のパケット・データ・セッションに参加しているハイブリッドＡＴは、ＴＩＡ−２０００データ・バーストまたは命令メッセージをＡＮへ送る。
【０１３１】
ｃ．ＡＮは、受信メッセージを、Ａｙ−ＣＳＮＰ受信メッセージにおいて１ｘＢＳへ転送し、タイマＴａｙ−ｃｓｎｐを開始する。
ｄ．１ｘＢＳは、エア・インターフェース・メッセージをＡｙ−ＣＳＮＰ受信メッセージから取り出し、受信メッセージに付随する既存のＡ１手続きをＭＳＣとの間で行なう。
【０１３２】
ｅ．１ｘＢＳは、Ａｙ−ＣＳＮＰ−ＡｃｋメッセージをＨＲＰＤ−ＡＮへ送り返す。ＨＲＰＤ−ＡＮは、タイマＴａｙ−ｃｓｎｐを停止する。受け取り通知または応答を、必要に応じてＡＴへ送り返しても良い。
【０１３３】
以下は、図２６〜２９に関する添付資料である。ＩＯＳインターフェース。
Ａ１：Ａ１インターフェースは、シグナリング情報を、ＭＳＣのコール制御およびモビリティ管理機能とＢＳのコール制御コンポーネント（ＢＳＣ）との間で伝える。
【０１３４】
Ａ２：Ａ２インターフェースは、ユーザ・トラフィックに対する経路を与えるために用いられる。Ａ２インターフェースは、６４／５６ｋｂｐｓＰＣＭ情報（回線向け音声用）または６４ｋｂｐｓ無制限デジタル情報（ＵＤＩ、ＩＳＤＮ用）を、ＭＳＣのスイッチ・コンポーネントとＢＳの選択／分配ユニット（ＳＤＵ）機能との間で伝える。
【０１３５】
Ａ３：Ａ３インターフェースは、送信元ＢＳ内のフレーム選択機能に送信先ＢＳが付されたときに、ＢＳ間ソフト／ソフター・ハンドオフに対するユーザ・トラフィックおよびシグナリングを運ぶために用いられる。Ａ３インターフェースは、符号化されたユーザ情報（音声／データ）およびシグナリング情報を、送信元ＢＳ−ＳＤＵ機能と送信先ＢＳのチャネル要素コンポーネント（ＢＴＳ）との間で伝える。これは、Ａ３インターフェースのエンド・ポイントの論理的な説明である。物理的なエンド・ポイントは、本明細書の範囲を超えている。Ａ３インターフェースは、２つの部分からなる：シグナリングおよびユーザ・トラフィックである。シグナリング情報は、別個の論理チャネルを介してユーザ・トラフィック・チャネルから伝えられ、ユーザ・トラフィックを運ぶためのチャネルの割り当ておよび使用を制御する。
【０１３６】
Ａ５：Ａ５インターフェースは、送信元ＢＳとＭＳＣとの間の回線向けデータ・コールに対するユーザ・トラフィック用の経路を与えるために用いられる。Ａ５インターフェースは、バイトの全二重ストリームを、ＭＳＣのスイッチ・コンポーネントとＢＳのＳＤＵ機能との間で伝える。
【０１３７】
Ａ７：Ａ７インターフェースは、シグナリング情報を、ＢＳ間ソフト／ソフター・ハンドオフに対する送信元ＢＳと送信先ＢＳとの間で伝える。
Ａ８：Ａ８インターフェースは、ユーザ・トラフィックをＢＳとＰＣＦとの間で伝える。
【０１３８】
Ａ９：Ａ９インターフェースは、シグナリング情報をＢＳとＰＣＦとの間で伝える。
Ａ１０：Ａ１０インターフェースは、ユーザ・トラフィックをＰＣＦとＰＤＳＮとの間で伝える。
【０１３９】
Ａ１１：Ａ１１インターフェースは、シグナリング情報をＰＣＦとＰＤＳＮとの間で伝える。これは、特定の物理的な実施を何ら意味しない論理アーキテクチャである。この標準の場合、回線向けデータ・コールに対するＩＷＦはＭＳＣに設定されると仮定しており、ＳＤＵ機能は、送信元ＢＳＣによって共に設定されると考えられる。図２６は、モバイル発信、モバイル終了、および直接ＢＳ間ソフト／ソフター・ハンドオフ操作のサポートにおけるネットワーク・コンポーネント間の関係を示す。ＩＯＳインターフェースによって以下のものが実現される。
【０１４０】
・ベアラ（ユーザ・トラフィック）接続（Ａ２、Ａ３（トラフィック）、Ａ５、Ａ８、およびＡ１０）；
・ＢＳのチャネル要素コンポーネントとＳＤＵ機能との間のシグナリング接続（Ａ３シグナリング）；
・直接ＢＳ間シグナリング接続（Ａ７）；
・ＢＳとＭＳＣとの間のシグナリング接続（Ａ１）；
・ＢＳとＰＣＦとの間のシグナリング接続（Ａ９）；
・ＰＣＦとＰＤＳＮ対間のシグナリング接続（Ａ１１）。すべてのシグナリング・メッセージは、アカウンティング関係および他の情報をＰＣＦからＰＤＳＮへ渡すためにも用いられる。
一般的に、インターフェース上で特定される機能は、インターフェースが、以下の論理パスを渡るシグナリング情報を伝えるという前提に基づいている。
【０１４１】
・ＢＳとＭＳＣとの間のみ（たとえば、ＢＳ管理情報）；
・ＢＳを介してＭＳとＭＳＣとの間（たとえば、ＢＳが、エア・インターフェース・メッセージをＡ１インターフェースに対してマッピングする）；
・ＭＳＣを介してＢＳと他のネットワーク要素との間；
・送信元ＢＳと送信先ＢＳとの間；
・ＢＳとＰＣＦとの間；
・ＰＣＦとＰＤＳＮとの間；
・ＭＳとＰＤＳＮとの間（たとえば、許可情報およびモバイル・インターネット・プロトコル（ＭＩＰ）シグナリング）。
これらの論理パスによって、規定されたインターフェース上に存在することができるすべてのトラフィックが規定される。
【０１４２】
ＨＲＰＤ−ＩＯＳアーキテクチャ参照モデル（ＴＩＡ−８７８）（ＡＮにおけるＳＣ／ＭＭ）：
ＨＲＰＤ−ＩＯＳメッセージングおよびコール・フローは、図２７に示すアーキテクチャ参照モデル、ＨＲＰＤ−ＩＯＳフェーズ１に基づく。図２８は、ＨＲＰＤパケット・データ・モビリティのレベルの概念図を示す。Ａ８／Ａ９インターフェースは、同じＰＣＦ下でのＡＮ間のモビリティをサポートする。Ａ１０／Ａ１１インターフェースは、同じＰＤＳＮ下でのＰＣＦ間のモビリティをサポートする。モバイルＩＰは、同じホーム・エージェント下でのＰＤＳＮ間のモビリティをサポートする。以下は定義である。
【０１４３】
アクセス認証：アクセス端末（ＡＴ）が、ＡＮ−ＡＡＡ（アクセス・ネットワーク認証、許可、およびアカウンティング・エンティティ）によって認証される手続き。
アクセス・ストリーム：エンド・ポイントがアクセス端末およびアクセス・ネットワーク（ラジオ・ネットワーク）であるＨＲＰＤストリーム。このストリームは、アクセス認証に対して用いられる。
【０１４４】
アクセス・ネットワーク：パケットでスイッチングされるデータ・ネットワーク（通常、インターネット）とアクセス端末との間のデータ接続性を実現するネットワーク機器。アクセス・ネットワークは、ｃｄｍａ２０００システムにおける基地局と同等である。
【０１４５】
アクセス端末：ユーザに対してデータ接続性を与えるデバイス。アクセス端末は、コンピューティング・デバイスたとえばラップトップ・パーソナル・コンピュータに接続しても良いし、または内蔵型のデータ・デバイスたとえば携帯情報端末であっても良い。アクセス端末は、ｃｄｍａ２０００システムにおける移動局と同等である。
【０１４６】
ＡＮ−ＡＡＡ：アクセス・ネットワークに対するアクセス認証および許可機能を行なうエンティティ。
接続：接続は、エア・リンクの特定の状態であり、すなわちアクセス端末に順方向トラフィック・チャネル、逆方向トラフィック・チャネル、および付随するメディア・アクセス制御（ＭＡＣ）チャネルが割り当てられる状態である。単一のＨＲＰＤセッション中に、アクセス端末およびアクセス・ネットワークは、接続を複数回開くことおよび閉じることができる。
【０１４７】
ハイブリッドＭＳ／ＡＴ：ｃｄｍａ２０００およびＨＲＰＤアクセス・ネットワークの両方の上で動作可能なデバイス。
サービス・ストリーム：アクセス端末とＰＤＳＮとの間でデータを交換するときに用いられるＨＲＰＤストリーム。
【０１４８】
ＨＲＰＤセッション：ＨＲＰＤセッションは、アクセス端末とアクセス・ネットワークとの間の共有状態を参照する。この共有状態には、アクセス端末とアクセス・ネットワークとの間の通信用に用いられる、ネゴシエートされたプロトコルおよびプロトコル構成が、記憶される。セッションを開くこと以外では、アクセス端末は、セッションを開くことなくアクセス・ネットワークと通信することはできない。なお、ＨＲＰＤセッションが設定されているにもかかわらずＡ１０／Ａ１１接続が設定されないことも可能である。
【０１４９】
パケット・データ・セッション：モバイル・ユーザによってパケット・データ・サービスが用いられる例。パケット・データ・セッションは、ユーザがパケット・データ・サービスを呼び出すときに開始する。パケット・データ・セッションは、ユーザまたはネットワークがパケット・データ・サービスを終了させるときに終了する。特定のパケット・データ・セッション中に、ユーザは位置を変える場合もあるが、同じＩＰアドレスが維持される。
【０１５０】
ＩＯＳインターフェース。
Ａ１２：Ａ１２インターフェースは、端末認証に関係づけられるシグナリング情報を、ＰＣＦにおけるＳＣ／ＭＭ機能とＡＮ−ＡＡＡ（認証、許可、およびアカウンティング・エンティティ）との間で伝える。
【０１５１】
Ａ１３：Ａ１３インターフェースは、シグナリング情報を送信元ＰＣＦにおけるＳＣ／ＭＭ機能と送信先ＰＣＦにおけるＳＣ／ＭＭ機能との間で伝える。
Ａ１４：Ａ１４インターフェースは、シグナリング情報をＰＣＦにおけるＳＣ／ＭＭ機能とＡＮとの間で伝える。
【０１５２】
Ａ１５：Ａ１５インターフェースは、ＡＮ間ページングが用いられるときに、シグナリング情報をＡＮ間で伝える。
Ａｘ：Ａｘインターフェースは、ユーザ・トラフィックを、ＰＣＦにおけるＳＣ／ＭＭ機能とＡＮとの間で伝える。
【０１５３】
ＨＲＰＤ−ＩＯＳ代替的アーキテクチャ参照モデル（ＰＣＦにおけるＳＣ／ＭＭ）：
ＨＲＰＤ−ＩＯＳメッセージングおよびコール・フローは、図２９に示す代替的アーキテクチャ参照モデルに基づく。Ａ８／Ａ９／Ａ１４インターフェースは、同じＰＣＦ下でのＡＮ間のモビリティをサポートする。Ａ１０／Ａ１１／Ａ１３インターフェースは、同じＰＤＳＮ下でのＰＣＦ間のモビリティをサポートする。モバイルＩＰは、同じホーム・エージェント下でのＰＤＳＮ間のモビリティをサポートする。
【０１５４】
前述の明細書では、本発明を、特定の実施形態について説明してきた。しかし当業者であれば理解するように、添付の請求項に記載される本発明の趣旨および範囲から逸脱することなく、種々の変更および変形を行なっても良い。したがって、明細書および図面は、限定的な意味ではなく例示的な意味で考えるべきであり、このような変更はすべて本発明の範囲に含まれることが意図される。加えて、当業者であれば分かるように、図面中の要素は、簡単および明瞭にするために例示されており、必ずしも一定の比率では描かれていない。たとえば、本発明の種々の実施形態の理解が容易になるように、図面中の一部の要素の寸法は、他の要素に対して誇張されている場合がある。
【０１５５】
本発明の特定の実施形態について、利益、他の優位性、および問題の解決方法について説明してきた。しかし、利益、優位性、問題の解決方法、およびこのような利益、優位性、もしくは解決方法を生じさせ得るかもしくは招き得るかまたはこのような利益、優位性、または解決方法をより明白にし得るどんな要素も、何れかまたは全ての請求項の重大であるか、必要であるか、または不可欠である特徴または要素と解釈してはならない。本明細書で用いる場合、用語「備える（ｃｏｍｐｒｉｓｅ）」、「備えている（ｃｏｍｐｒｉｓｉｎｇ）」またはそれらの他のどんな変形も、包括的に含めることを指すことが意図されている。すなわち、要素のリストを備えるプロセス、方法、製品、または装置では、これらの要素だけがリストに含まれるのではなく、明白にはリストにされていない他の要素、またはこのようなプロセス、方法、製品、もしくは装置に固有の他の要素が、含まれていても良い。
【０１５６】
用語「ａ」または「ａｎ」は、本明細書で用いる場合、１つまたは１つを超えると定義される。用語「複数（ｐｌｕｒａｌｉｔｙ）」は、本明細書で用いる場合、２つまたは２つを超えると規定される。用語「他の（ａｎｏｔｈｅｒ）」は、本明細書で用いる場合、少なくとも２番目またはそれを超えると規定される。用語「含んでいる（ｉｎｃｌｕｄｉｎｇ）」および／または「有している（ｈａｖｉｎｇ）」は、本明細書で用いる場合、「備えている（ｃｏｍｐｒｉｓｉｎｇ）」と規定される（すなわち、オープン・ランゲージ）。用語「結合される（ｃｏｕｐｌｅｄ）」は、本明細書で用いる場合、「接続される（ｃｏｎｎｅｃｔｅｄ）」であるが、必ずしも直接的には行なわれておらず、また必ずしも機械的には行なわれていないと規定される。
【図面の簡単な説明】
【０１５７】
【図１】本発明の複数の実施形態による、３Ｇ１Ｘネットワークとこれが接続される無線パケット・データ・ネットワークとを含む無線通信システムのブロック図表現。
【図２】本発明の複数の実施形態による、３Ｇ１Ｘネットワーク上にオーバーレイされた無線パケット・データ・ネットワークに対する典型的な配置トポロジーを示すブロック図表現。
【図３】本発明の複数の実施形態による、３Ｇ１Ｘネットワーク上にオーバーレイされた無線パケット・データ・ネットワークに対するアンカーされた３Ｇ１Ｘ基地局構成を示すブロック図表現。
【図４】本発明の複数の実施形態による、３Ｇ１Ｘネットワーク上にオーバーレイされた無線パケット・データ・ネットワークに対するアクセス・ネットワーク（ＡＮ）−基地局（ＢＳ）間１：１直接インターフェース構成を示すブロック図表現。
【図５】本発明の複数の実施形態による、３Ｇ１Ｘネットワーク上にオーバーレイされた無線パケット・データ・ネットワークに対するアクセス・ネットワーク（ＡＮ）−基地局（ＢＳ）間Ｍ：Ｎ直接インターフェース構成を示すブロック図表現。
【図６】本発明の複数の実施形態による、アンカーされたＢＳ構成に対する３Ｇ１Ｘネットワークを用いたＡＮ開始の登録を表わす典型的なコール・フロー。
【図７】本発明の複数の実施形態による、アンカーされたＢＳ構成に対する高レート・パケット・データ（ＨＲＰＤ）ネットワーク上のアクティブ状態のパケット・データ・セッション中のアクセス端末（ＡＴ）開始の３Ｇ１Ｘ登録を表わす典型的なコール・フロー図。
【図８】本発明の複数の実施形態による、アンカーされたＢＳ構成に対する高レート・パケット・データ（ＨＲＰＤ）ネットワーク上での休止状態のパケット・データ・セッション中のＡＴ開始の３Ｇ１Ｘ登録を表わす典型的なコール・フロー図。
【図９】本発明の複数の実施形態による、アンカーされたＢＳ構成に対するアクティブ状態のＨＲＰＤパケット・データ・セッション中にＡＴに送られる１Ｘ音声ページを表わす典型的なコール・フロー図。
【図１０】本発明の複数の実施形態による、アンカーされたＢＳ構成に対する休止状態のＨＲＰＤパケット・データ・セッション中にＡＴに送られる１Ｘ音声ページを表わす典型的なコール・フロー図。
【図１１】本発明の複数の実施形態による、アンカーされたＢＳ構成に対する、ＡＴが見出されないときのＨＲＰＤネットワークを介した１Ｘ音声ページを表わす典型的なコール・フロー図。
【図１２】本発明の複数の実施形態による、アンカーされたＢＳ構成または直接ＢＳ構成に対するショート・メッセージ・サービス（ＳＭＳ）を介してアクティブ／休止状態のＨＲＰＤパケット・データ・セッション中にＡＴに送られる１ｘＣＳＮＰメッセージを表わす典型的なコール・フロー図。
【図１３】本発明の複数の実施形態による、ＡＮ−ＢＳ間１：１直接インターフェース構成に対する３Ｇ１Ｘネットワークを用いたＡＮ開始の登録を表わす典型的なコール・フロー図。
【図１４】本発明の複数の実施形態による、ＡＮ−ＢＳ間１：１直接インターフェース構成に対するＨＲＰＤネットワーク上でのアクティブ状態のパケット・データ・セッション中のＡＴ開始の３Ｇ１Ｘ登録を表わす典型的なコール・フロー図。
【図１５】本発明の複数の実施形態による、ＡＮ−ＢＳ間１：１直接インターフェース構成に対するＨＲＰＤネットワーク上での休止状態のパケット・データ・セッション中のＡＴ開始の３Ｇ１Ｘ登録を表わす典型的なコール・フロー図。
【図１６】本発明の複数の実施形態による、ＡＮ−ＢＳ間１：１直接インターフェース構成に対するアクティブ状態のＨＲＰＤパケット・データ・セッション中のＡＴに対する１Ｘ音声ページを表わす典型的なコール・フロー図。
【図１７】本発明の複数の実施形態による、ＡＮ−ＢＳ間１：１直接インターフェース構成に対する休止状態のＨＲＰＤパケット・データ・セッション中にＡＴに送られる１Ｘ音声ページを表わす典型的なコール・フロー図。
【図１８】本発明の複数の実施形態による、ＡＮ−ＢＳ間Ｍ：Ｎ直接インターフェース構成に対する３Ｇ１Ｘネットワークを用いたＡＮ開始の登録を表わす典型的なコール・フロー図。
【図１９】本発明の複数の実施形態による、ＡＮ−ＢＳ間Ｍ：Ｎ直接インターフェース構成に対する３Ｇ１Ｘネットワークを用いたＡＮ開始の登録を表わす典型的なコール・フロー図。
【図２０】本発明の複数の実施形態による、ＡＮ−ＢＳ間Ｍ：Ｎ直接インターフェース構成に対するＨＲＰＤネットワーク上でのＡＴ開始の３Ｇ１Ｘ登録を表わす典型的なコール・フロー図。
【図２１ａ】本発明の複数の実施形態による、ＡＮ−ＢＳ間Ｍ：Ｎ直接インターフェース構成に対するアクティブ状態のＨＲＰＤパケット・データ・セッション中のＡＴに対する１Ｘ音声ページを表わす典型的なコール・フロー図。
【図２１ｂ】本発明の複数の実施形態による、ＡＮ−ＢＳ間Ｍ：Ｎ直接インターフェース構成に対するアクティブ状態のＨＲＰＤパケット・データ・セッション中のＡＴに対する１Ｘ音声ページを表わす典型的なコール・フロー図。
【図２２】本発明の複数の実施形態による、３Ｇ１Ｘネットワークを用いたＨＲＰＤ−ＰＣＦ開始の登録を表わす典型的なコール・フロー図。
【図２３】本発明の複数の実施形態による、ＨＲＰＤネットワーク上でのＡＴ開始の３Ｇ１Ｘ登録を表わす典型的なコール・フロー図。
【図２４】本発明の複数の実施形態による、アクティブ／休止状態のＨＲＰＤパケット・データ・セッション中のＡＴに対する１Ｘ音声ページを表わす典型的なコール・フロー図。
【図２５】本発明の複数の実施形態による、ＣＳＮＰプロトコル受信したアクティブ／休止状態のＨＲＰＤパケット・データ・セッションによってサポートされるＲ１メッセージを表わす典型的なコール・フロー図。
【図２６】ＩＯＳ仕様によるｃｄｍａ２０００無線通信システムのブロック図表現。
【図２７】ＩＯＳ仕様によるＨＲＰＤ−ＩＯＳフェーズ１アーキテクチャのブロック図表現。
【図２８】ＩＯＳ仕様によるＨＲＰＤパケット・データ・モビリティ・アーキテクチャのブロック図表現。
【図２９】ＩＯＳ仕様によるＨＲＰＤ−ＩＯＳ代替アーキテクチャのブロック図表現。
【図１】
2008503189.tif 000003
【図２】
2008503189.tif 000004
【図３】
2008503189.tif 000005
【図４】
2008503189.tif 000006
【図５】
2008503189.tif 000007
【図６】
2008503189.tif 000008
【図７】
2008503189.tif 000009
【図８】
2008503189.tif 000010
【図９】
2008503189.tif 000011
【図１０】
2008503189.tif 000012
【図１１】
2008503189.tif 000013
【図１２】
2008503189.tif 000014
【図１３】
2008503189.tif 000015
【図１４】
2008503189.tif 000016
【図１５】
2008503189.tif 000017
【図１６】
2008503189.tif 000018
【図１７】
2008503189.tif 000019
【図１８】
2008503189.tif 000020
【図１９】
2008503189.tif 000021
【図２０】
2008503189.tif 000022
【図２１ａ】
2008503189.tif 000023
【図２１ｂ】
2008503189.tif 000024
【図２２】
2008503189.tif 000025
【図２３】
2008503189.tif 000026
【図２４】
2008503189.tif 000027
【図２５】
2008503189.tif 000028
【図２６】
2008503189.tif 000029
【図２７】
2008503189.tif 000030
【図２８】
2008503189.tif 000031
【図２９】
2008503189.tif 000032
【手続補正書】
【提出日】平成18年8月7日(2006.8.7)
【手続補正１】
【補正対象書類名】特許請求の範囲
【補正対象項目名】全文
【補正方法】変更
【補正の内容】
【特許請求の範囲】
【請求項１】
３Ｇ１ｘネットワークと無線パケット・データ・ネットワークとの間の相互運用を促進するための方法であって、  ３Ｇ１ｘラジオ・アクセス・ネットワーク（ＲＡＮ）を介して、遠隔ユニットに対する登録更新メッセージングを、パケット・データ・ネットワークＲＡＮから受信すること、  登録更新メッセージングの受信に応答して、    ３Ｇ１ｘＲＡＮを介して、遠隔ユニットに対する３Ｇ１ｘ登録更新メッセージングを、移動通信交換局（ＭＳＣ）に送ること、    ３Ｇ１ｘＲＡＮを介して、遠隔ユニットに対する登録応答メッセージングを、ＭＳＣから受信すること、を備える方法。
【請求項２】
請求項１に記載の方法であって、３Ｇ１ｘＲＡＮを介して、遠隔ユニットに対する登録応答メッセージングを、パケット・データ・ネットワークＲＡＮに送ることをさらに備える方法。
【請求項３】
請求項１に記載の方法において、３Ｇ１ｘＲＡＮは基地局およびＰＣＦを含む、方法。
【請求項４】
請求項３に記載の方法において、３Ｇ１ｘＲＡＮを介して、遠隔ユニットに対する登録更新メッセージングを、パケット・データ・ネットワークＲＡＮから受信することは、基地局によって登録更新メッセージングを受信することを含む、方法。
【請求項５】
請求項４に記載の方法において、基地局によって登録更新メッセージングを受信することは、パケット制御機能（ＰＣＦ）を介して登録メッセージングを受信することを含む、方法。
【請求項６】
３Ｇ１ｘネットワークと無線パケット・データ・ネットワークとの間の相互運用を促進するための方法であって、  パケット・データ・ネットワーク・ラジオ・アクセス・ネットワーク（ＲＡＮ）を介して、登録シグナリングを遠隔ユニットから受信すること、  登録シグナリングの受信に応答して、    パケット・データ・ネットワークＲＡＮを介して、遠隔ユニットに対する登録メッセージングを３Ｇ１ｘＲＡＮに送ること、を備える方法。
【請求項７】
請求項６に記載の方法であって、 パケット・データ・ネットワークＲＡＮを介して、登録応答シグナリングを遠隔ユニットに送ること、  パケット・データ・ネットワークＲＡＮを介して、遠隔ユニットに対する登録応答メッセージングを３Ｇ１ｘＲＡＮから、登録応答シグナリングを送る前に受信すること、をさらに備える方法。
【請求項８】
請求項６に記載の方法において、パケット・データ・ネットワークＲＡＮは、パケット・データ・ネットワーク・アクセス・ネットワーク（ＡＮ）およびパケット・データ・ネットワーク・パケット制御機能（ＰＣＦ）を含む、方法。
【請求項９】
請求項８に記載の方法において、パケット・データ・ネットワークＲＡＮを介して、遠隔ユニットに対する登録メッセージングを３Ｇ１ｘＲＡＮに送ることは、パケット・データ・ネットワークＡＮを介して登録メッセージングを送ることを含む、方法。
【請求項１０】
請求項８に記載の方法において、パケット・データ・ネットワークＲＡＮを介して、遠隔ユニットに対する登録メッセージングを３Ｇ１ｘＲＡＮに送ることは、パケット・データ・ネットワークＰＣＦを介して登録メッセージングを送ることを含む、方法。
【請求項１１】
請求項６に記載の方法において、パケット・データ・ネットワークＲＡＮを介して、遠隔ユニットに対する登録メッセージングを３Ｇ１ｘＲＡＮに送ることは、遠隔ユニットに対する登録メッセージングを複数の３Ｇ１ｘ基地局に送ることを含む、方法。
【請求項１２】
３Ｇ１ｘラジオ・アクセス・ネットワーク（ＲＡＮ）と無線パケット・データＲＡＮとの間の相互運用を促進するための方法であって、  ３Ｇ１ｘラジオ・アクセス・ネットワーク（ＲＡＮ）を介して、遠隔ユニットに対する回線ネットワーク発信ページング要求メッセージングを移動通信交換局（ＭＳＣ）から受信すること、  回線ネットワーク発信ページング要求メッセージングの受信に応答して、３Ｇ１ｘＲＡＮを介して、遠隔ユニットに対するＲＡＮ発信ページング要求メッセージングをパケット・データＲＡＮに送ること、  ＲＡＮ発信ページング要求メッセージングの送信に応答して、３Ｇ１ｘＲＡＮを介して、遠隔ユニットに対するページ応答メッセージングを受信すること、を備える方法。
【請求項１３】
請求項１２に記載の方法において、３Ｇ１ｘＲＡＮを介してページ応答メッセージングを受信することは、ページ応答メッセージングをパケット・データＲＡＮから受信することを含む、方法。
【請求項１４】
請求項１２に記載の方法において、３Ｇ１ｘＲＡＮを介してページ応答メッセージングを受信することは、ページ応答メッセージングを遠隔ユニットから受信することを含む、方法。
【請求項１５】
請求項１４に記載の方法であって、ページ応答メッセージングを遠隔ユニットから受信することに応答して、３Ｇ１ｘＲＡＮを介して、遠隔ユニットに対してＲＡＮ発信ページ応答メッセージングをＭＳＣに送ることをさらに備える方法。
【請求項１６】
請求項１２に記載の方法において、３Ｇ１ｘＲＡＮを介して、遠隔ユニットに対するＲＡＮ発信ページング要求メッセージングを、パケット・データＲＡＮに送ることは、遠隔ユニットに対するＲＡＮ発信ページング要求メッセージングを、複数のパケット・データＲＡＮに送ることを含む、方法。
【請求項１７】
請求項１２に記載の方法であって、遠隔ユニットを、３Ｇ１ｘＲＡＮを介して、回線ネットワーク発信ページング要求メッセージングを受信することに応答してページングすることをさらに備える方法。
【請求項１８】
３Ｇ１ｘネットワークと無線パケット・データ・ネットワークとの間の相互運用を促進するための方法であって、  パケット・データ・ラジオ・アクセス・ネットワーク（ＲＡＮ）を介して、遠隔ユニットに対するＲＡＮ発信ページング要求メッセージングを３Ｇ１ｘＲＡＮから受信すること、  ＲＡＮ発信ページング要求メッセージングを受信することに応答して、遠隔ユニットを、パケット・データ・ネットワークＲＡＮを介してページングすること、  ＲＡＮ発信ページング要求メッセージングを受信することに応答して、パケット・データ・ネットワークＲＡＮを介して、ＲＡＮ発信ページ応答メッセージングを３Ｇ１ｘＲＡＮに送ること、を備える方法。
【請求項１９】
請求項１８に記載の方法であって、  パケット・データ・ネットワークＲＡＮを介して、遠隔ユニットのページングの後に遠隔ユニットからのデータ送信が停止したことを検出すること、  検出に応答して、パケット・データ・ネットワークＲＡＮを介して、パケット・データ・ネットワーク休止状態パケット・データ・セッションへの遠隔ユニットの移行をトリガすること、をさらに備える方法。
【請求項２０】
請求項１８に記載の方法であって、パケット・データ・ネットワークＲＡＮを介して、ＰＤＳＮに、遠隔ユニットに対するパケット・データの送信を停止する要求を送ることをさらに備える方法。
【請求項２１】
回線ラジオ・アクセス・ネットワーク（ＲＡＮ）と無線パケット・データＲＡＮとの間の相互運用を促進するための方法であって、  回線ＲＡＮと無線パケット・データＲＡＮとを相互接続するインターフェースを介して、メッセージングを交換すること、を備え、メッセージングは、回線ＲＡＮと無線パケット・データＲＡＮとの間のエア・インターフェース・メッセージを受け渡すことを伴う、方法。
【請求項２２】
請求項２１に記載の方法において、回線ＲＡＮと無線パケット・データＲＡＮとを相互接続するインターフェースを介して、メッセージングを交換することは、アクセス端末（ＡＴ）から受信される３Ｇ１ｘエア・インターフェース・シグナリングを、３Ｇ１ｘＲＡＮに伝達することを含む、方法。
【請求項２３】
請求項２２に記載の方法において、アクセス端末（ＡＴ）から受信される３Ｇ１ｘエア・インターフェース・シグナリングを、３Ｇ１ｘＲＡＮに伝達することは、無線パケット・データＲＡＮを介してＡＴから受信される３Ｇ１ｘエア・インターフェース・シグナリングを、回線ＲＡＮと無線パケット・データＲＡＮとを相互接続するインターフェースを介して送信されるべきメッセージに封入することを含む、方法。
【請求項２４】
請求項２１に記載の方法において、回線ＲＡＮと無線パケット・データＲＡＮとを相互接続するインターフェースを介して、メッセージを交換することは、アクセス端末（ＡＴ）に対する３Ｇ１ｘエア・インターフェース・シグナリングを、無線パケット・データＲＡＮに送ることを含む、方法。
【請求項２５】
請求項２４に記載の方法において、アクセス端末（ＡＴ）に対する３Ｇ１ｘエア・インターフェース・シグナリングを、無線パケット・データＲＡＮに送ることは、３Ｇ１ｘエア・インターフェース・シグナリングを、回線ＲＡＮと無線パケット・データＲＡＮとを相互接続するインターフェースを介して送信されるべきメッセージに封入することを含む、方法。
【請求項２６】
請求項２１に記載の方法において、無線パケット・データＲＡＮは、高レート・パケット・データ（ＨＲＰＤ）ネットワークと、ＩＥＥＥ８０２に基づくネットワークとからなるグループにおけるネットワークの一種である、方法。
【請求項２７】
請求項２１に記載の方法において、回線ＲＡＮと無線パケット・データＲＡＮとを相互接続するインターフェースは、  ３Ｇ１ｘＲＡＮ基地局（ＢＳ）およびパケット・データＲＡＮと、  ３Ｇ１ｘＲＡＮ基地局（ＢＳ）およびパケット・データＲＡＮアクセス・ネットワーク（ＡＮ）と、  ３Ｇ１ｘＲＡＮ基地局（ＢＳ）およびパケット・データＲＡＮパケット制御機能（ＰＣＦ）と、  ３Ｇ１ｘＲＡＮパケット制御機能（ＰＣＦ）およびパケット・データＲＡＮＰＣＦと、  からなるグループから選択される終点の対において終端を有する、方法。
【請求項２８】
請求項１に記載の方法において、３Ｇ１ｘＲＡＮを介して、遠隔ユニットに対する登録更新メッセージングを、パケット・データ・ネットワークＲＡＮから受信することは、  遠隔ユニットに対する登録更新メッセージを、パケット・データ・ネットワークＲＡＮから受信することを含み、該登録更新メッセージは、遠隔ユニットからの登録メッセージを含み、ＣＳＮＰ受信メッセージおよび登録更新要求メッセージからなるグループからのメッセージである、方法。
【請求項２９】
請求項１に記載の方法において、３Ｇ１ｘＲＡＮを介して、遠隔ユニットに対する３Ｇ１ｘ登録更新メッセージングを、ＭＳＣに送ることは、遠隔ユニットに対する位置更新要求メッセージを、ＭＳＣに送ることを含む、方法。
【請求項３０】
請求項１に記載の方法において、３Ｇ１ｘＲＡＮを介して、遠隔ユニットに対する登録応答メッセージングを、ＭＳＣから受信することは、遠隔ユニットに対する位置更新承認メッセージを、ＭＳＣから受信することを含む、方法。
【請求項３１】
請求項６に記載の方法において、パケット・データ・ネットワークＲＡＮを介して、登録シグナリングを遠隔ユニットから受信することは、  パケット・データ・ネットワークＲＡＮを介して、登録メッセージを遠隔ユニットから受信することを含み、該登録メッセージは、ＴＩＡ−２０００登録メッセージからなるグループからのメッセージである、方法。
【請求項３２】
請求項６に記載の方法において、パケット・データ・ネットワークＲＡＮを介して、遠隔ユニットに対する登録メッセージングを３Ｇ１ｘＲＡＮに送ることは、  パケット・データ・ネットワークＲＡＮを介して、遠隔ユニットに対する登録メッセージを３Ｇ１ｘＲＡＮに送ることを含み、該登録メッセージは、遠隔ユニットからの登録メッセージを含み、ＣＳＮＰ受信メッセージおよび登録更新要求メッセージからなるグループからのメッセージである、方法。
【請求項３３】
請求項６に記載の方法において、パケット・データ・ネットワークＲＡＮを介して、登録応答シグナリングを遠隔ユニットに送ることは、  パケット・データ・ネットワークＲＡＮを介して、１ｘサービス・パケット登録承認済み命令を遠隔ユニットに送ることを含み、  パケット・データ・ネットワークＲＡＮを介して、遠隔ユニットに対する登録応答メッセージングを３Ｇ１ｘＲＡＮから、登録応答シグナリングを送る前に受信することは、  パケット・データ・ネットワークＲＡＮを介して、遠隔ユニットに対する登録応答メッセージを３Ｇ１ｘＲＡＮから、登録応答シグナリングを送る前に受信することを含み、該登録応答メッセージは、ＣＳＮＰ  Ａｃｋメッセージ、および登録承認済み命令を含むＣＳＮＰ送信Ａｃｋメッセージからなるグループからのメッセージである、方法。
【手続補正書】
【提出日】平成18年12月27日(2006.12.27)
【手続補正１】
【補正対象書類名】特許請求の範囲
【補正対象項目名】全文
【補正方法】変更
【補正の内容】
【特許請求の範囲】
【請求項１】
３Ｇ１ｘネットワークと無線パケット・データ・ネットワークとの間の相互運用を促進するための方法であって、
３Ｇ１ｘラジオ・アクセス・ネットワーク（ＲＡＮ）を介して、遠隔ユニットに対する登録更新メッセージングを、パケット・データ・ネットワークＲＡＮから受信すること、
登録更新メッセージングの受信に応答して、
３Ｇ１ｘＲＡＮを介して、遠隔ユニットに対する３Ｇ１ｘ登録更新メッセージングを、移動通信交換局（ＭＳＣ）に送ること、
３Ｇ１ｘＲＡＮを介して、遠隔ユニットに対する登録応答メッセージングを、ＭＳＣから受信すること、
を備える方法。
【請求項２】
請求項１に記載の方法であって、３Ｇ１ｘＲＡＮを介して、遠隔ユニットに対する登録応答メッセージングを、パケット・データ・ネットワークＲＡＮに送ることをさらに備える方法。
【請求項３】
請求項１に記載の方法において、３Ｇ１ｘＲＡＮは基地局およびＰＣＦを含み、
３Ｇ１ｘＲＡＮを介して、遠隔ユニットに対する登録更新メッセージングを、パケット・データ・ネットワークＲＡＮから受信することは、基地局によって登録更新メッセージングを受信することを含み、
基地局によって登録更新メッセージングを受信することは、パケット制御機能（ＰＣＦ）を介して登録メッセージングを受信することを含む、方法。
【請求項４】
３Ｇ１ｘネットワークと無線パケット・データ・ネットワークとの間の相互運用を促進するための方法であって、
パケット・データ・ネットワーク・ラジオ・アクセス・ネットワーク（ＲＡＮ）を介して、登録シグナリングを遠隔ユニットから受信すること、
登録シグナリングの受信に応答して、
パケット・データ・ネットワークＲＡＮを介して、遠隔ユニットに対する登録メッセージングを３Ｇ１ｘＲＡＮに送ること、
を備える方法。
【請求項５】
請求項４に記載の方法であって、
パケット・データ・ネットワークＲＡＮを介して、登録応答シグナリングを遠隔ユニットに送ること、
パケット・データ・ネットワークＲＡＮを介して、遠隔ユニットに対する登録応答メッセージングを３Ｇ１ｘＲＡＮから、登録応答シグナリングを送る前に受信すること、
をさらに備える方法。
【請求項６】
請求項４に記載の方法において、パケット・データ・ネットワークＲＡＮは、パケット・データ・ネットワーク・アクセス・ネットワーク（ＡＮ）およびパケット・データ・ネットワーク・パケット制御機能（ＰＣＦ）を含み、パケット・データ・ネットワークＲＡＮを介して、遠隔ユニットに対する登録メッセージングを３Ｇ１ｘＲＡＮに送ることは、パケット・データ・ネットワークＡＮおよびパケット・データ・ネットワークＰＣＦのうちの一方を介して登録メッセージングを送ることを含む、方法。
【請求項７】
請求項４に記載の方法において、パケット・データ・ネットワークＲＡＮを介して、遠隔ユニットに対する登録メッセージングを３Ｇ１ｘＲＡＮに送ることは、遠隔ユニットに対する登録メッセージングを複数の３Ｇ１ｘ基地局に送ることを含む、方法。
【請求項８】
３Ｇ１ｘラジオ・アクセス・ネットワーク（ＲＡＮ）と無線パケット・データＲＡＮとの間の相互運用を促進するための方法であって、
３Ｇ１ｘラジオ・アクセス・ネットワーク（ＲＡＮ）を介して、遠隔ユニットに対する回線ネットワーク発信ページング要求メッセージングを移動通信交換局（ＭＳＣ）から受信すること、
回線ネットワーク発信ページング要求メッセージングの受信に応答して、３Ｇ１ｘＲＡＮを介して、遠隔ユニットに対するＲＡＮ発信ページング要求メッセージングをパケット・データＲＡＮに送ること、
ＲＡＮ発信ページング要求メッセージングの送信に応答して、３Ｇ１ｘＲＡＮを介して、遠隔ユニットに対するページ応答メッセージングを受信すること、
を備える方法。
【請求項９】
請求項８に記載の方法において、３Ｇ１ｘＲＡＮを介してページ応答メッセージングを受信することは、ページ応答メッセージングをパケット・データＲＡＮおよび遠隔ユニットのうちの一方から受信することを含む、方法。
【請求項１０】
請求項８に記載の方法であって、遠隔ユニットを、３Ｇ１ｘＲＡＮを介して、回線ネットワーク発信ページング要求メッセージングを受信することに応答してページングすることをさらに備える方法。
【請求項１１】
３Ｇ１ｘネットワークと無線パケット・データ・ネットワークとの間の相互運用を促進するための方法であって、
パケット・データ・ラジオ・アクセス・ネットワーク（ＲＡＮ）を介して、遠隔ユニットに対するＲＡＮ発信ページング要求メッセージングを３Ｇ１ｘＲＡＮから受信すること、
ＲＡＮ発信ページング要求メッセージングを受信することに応答して、遠隔ユニットを、パケット・データ・ネットワークＲＡＮを介してページングすること、
ＲＡＮ発信ページング要求メッセージングを受信することに応答して、パケット・データ・ネットワークＲＡＮを介して、ＲＡＮ発信ページ応答メッセージングを３Ｇ１ｘＲＡＮに送ること、
を備える方法。
【請求項１２】
回線ラジオ・アクセス・ネットワーク（ＲＡＮ）と無線パケット・データＲＡＮとの間の相互運用を促進するための方法であって、
回線ＲＡＮと無線パケット・データＲＡＮとを相互接続するインターフェースを介して、メッセージングを交換すること、
を備え、メッセージングは、回線ＲＡＮと無線パケット・データＲＡＮとの間のエア・インターフェース・メッセージを受け渡すことを伴う、方法。
【請求項１３】
請求項１２に記載の方法において、回線ＲＡＮと無線パケット・データＲＡＮとを相互接続するインターフェースを介して、メッセージングを交換することは、アクセス端末（ＡＴ）から受信される３Ｇ１ｘエア・インターフェース・シグナリングを、３Ｇ１ｘＲＡＮに伝達することを含み、
アクセス端末（ＡＴ）から受信される３Ｇ１ｘエア・インターフェース・シグナリングを、３Ｇ１ｘＲＡＮに伝達することは、無線パケット・データＲＡＮを介してＡＴから受信される３Ｇ１ｘエア・インターフェース・シグナリングを、回線ＲＡＮと無線パケット・データＲＡＮとを相互接続するインターフェースを介して送信されるべきメッセージに封入することを含む、方法。
【請求項１４】
請求項１２に記載の方法において、回線ＲＡＮと無線パケット・データＲＡＮとを相互接続するインターフェースを介して、メッセージを交換することは、アクセス端末（ＡＴ）に対する３Ｇ１ｘエア・インターフェース・シグナリングを、無線パケット・データＲＡＮに送ることを含み、
アクセス端末（ＡＴ）に対する３Ｇ１ｘエア・インターフェース・シグナリングを、無線パケット・データＲＡＮに送ることは、３Ｇ１ｘエア・インターフェース・シグナリングを、回線ＲＡＮと無線パケット・データＲＡＮとを相互接続するインターフェースを介して送信されるべきメッセージに封入することを含む、方法。
【請求項１５】
請求項１２に記載の方法において、回線ＲＡＮと無線パケット・データＲＡＮとを相互接続するインターフェースは、
３Ｇ１ｘＲＡＮ基地局（ＢＳ）およびパケット・データＲＡＮと、
３Ｇ１ｘＲＡＮ基地局（ＢＳ）およびパケット・データＲＡＮアクセス・ネットワーク（ＡＮ）と、
３Ｇ１ｘＲＡＮ基地局（ＢＳ）およびパケット・データＲＡＮパケット制御機能（ＰＣＦ）と、
３Ｇ１ｘＲＡＮパケット制御機能（ＰＣＦ）およびパケット・データＲＡＮＰＣＦと、
からなるグループから選択される終点の対において終端を有する、方法。
【請求項１６】
請求項１に記載の方法において、３Ｇ１ｘＲＡＮを介して、遠隔ユニットに対する登録更新メッセージングを、パケット・データ・ネットワークＲＡＮから受信することは、
遠隔ユニットに対する登録更新メッセージを、パケット・データ・ネットワークＲＡＮから受信することを含み、該登録更新メッセージは、遠隔ユニットからの登録メッセージを含み、ＣＳＮＰ受信メッセージおよび登録更新要求メッセージからなるグループからのメッセージである、方法。
【請求項１７】
請求項１に記載の方法において、３Ｇ１ｘＲＡＮを介して、遠隔ユニットに対する３Ｇ１ｘ登録更新メッセージングを、ＭＳＣに送ることは、遠隔ユニットに対する位置更新要求メッセージを、ＭＳＣに送ることを含む、方法。
【請求項１８】
請求項１に記載の方法において、３Ｇ１ｘＲＡＮを介して、遠隔ユニットに対する登録応答メッセージングを、ＭＳＣから受信することは、遠隔ユニットに対する位置更新承認メッセージを、ＭＳＣから受信することを含む、方法。
【請求項１９】
請求項４に記載の方法において、パケット・データ・ネットワークＲＡＮを介して、登録シグナリングを遠隔ユニットから受信することは、
パケット・データ・ネットワークＲＡＮを介して、登録メッセージを遠隔ユニットから受信することを含み、該登録メッセージは、ＴＩＡ−２０００登録メッセージからなるグループからのメッセージである、方法。
【請求項２０】
請求項４に記載の方法において、パケット・データ・ネットワークＲＡＮを介して、遠隔ユニットに対する登録メッセージングを３Ｇ１ｘＲＡＮに送ることは、
パケット・データ・ネットワークＲＡＮを介して、遠隔ユニットに対する登録メッセージを３Ｇ１ｘＲＡＮに送ることを含み、該登録メッセージは、遠隔ユニットからの登録メッセージを含み、ＣＳＮＰ受信メッセージおよび登録更新要求メッセージからなるグループからのメッセージである、方法。
【請求項２１】
請求項４に記載の方法において、パケット・データ・ネットワークＲＡＮを介して、登録応答シグナリングを遠隔ユニットに送ることは、
パケット・データ・ネットワークＲＡＮを介して、１ｘサービス・パケット登録承認済み命令を遠隔ユニットに送ることを含み、
パケット・データ・ネットワークＲＡＮを介して、遠隔ユニットに対する登録応答メッセージングを３Ｇ１ｘＲＡＮから、登録応答シグナリングを送る前に受信することは、
パケット・データ・ネットワークＲＡＮを介して、遠隔ユニットに対する登録応答メッセージを３Ｇ１ｘＲＡＮから、登録応答シグナリングを送る前に受信することを含み、該登録応答メッセージは、ＣＳＮＰ  Ａｃｋメッセージ、および登録承認済み命令を含むＣＳＮＰ送信Ａｃｋメッセージからなるグループからのメッセージである、方法。
【国際調査報告】
2008503189.tif 000033
2008503189.tif 000034